(57)【特許請求の範囲】
【請求項１】
複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機であって、
予め設定された前記移動端末の前記小セルに優先的に在圏するか否かを設定する情報である在圏ポリシー情報を前記移動通信システム内に設けられた加入者情報保持装置から取得する在圏ポリシー情報取得部と、
前記移動端末が優先して在圏すべき通信方式に対応するセルの周波数帯域を判別するための情報である優先周波数判別情報と、前記在圏ポリシー情報取得部で取得した前記在圏ポリシー情報とに基づき、優先して在圏すべきセルの周波数帯域を判別可能な判別情報を含む優先周波数判別情報を設定する判別情報設定部と、
前記判別情報設定部で設定した前記優先周波数判別情報を含む制御信号である優先周波数判別信号を前記無線制御装置に送信する優先周波数判別信号送信部と、を備えることを特徴とする交換機。
【請求項２】
前記在圏ポリシー情報は、前記移動端末を全ての前記小セルへと優先的に在圏させる小セル優先在圏ポリシー情報を含んでおり、
前記判別情報設定部は、前記在圏ポリシー情報が前記小セル優先在圏ポリシー情報であると判定すると、優先して在圏すべきセルの周波数帯域が前記小セルの周波数帯域であることを判別可能な判別情報を含む優先周波数判別情報を設定することを特徴とする請求項１に記載の交換機。
【請求項３】
前記在圏ポリシー情報は、前記移動端末を特定の前記大セルからその大セル内に存在する前記小セルへと優先的に在圏させる特定小セル優先在圏ポリシー情報を含んでおり、
前記移動端末が前記小セルに在圏したことに応じて発生する位置登録に係る制御信号に基づき、前記移動端末が在圏している前記小セルのエリアを包含する前記大セルの識別情報である第１大セル識別情報を前記加入者情報保持装置に登録する第１大セル識別情報登録部と、
前記加入者情報保持装置から、前記第１大セル識別情報を取得する第１大セル識別情報取得部と、
前記無線制御装置から前記移動端末の在圏している前記大セルの識別情報である第２大セル識別情報を含む制御信号を受信する制御信号受信部と、を更に備え、
前記判別情報設定部は、前記制御信号受信部で前記制御信号を受信したことに応じて前記在圏ポリシー情報の内容を判定し、該在圏ポリシー情報が前記特定小セル優先在圏ポリシー情報であると判定すると、前記第１大セル識別情報取得部で取得した前記第１大セル識別情報と前記制御信号受信部で受信した前記制御信号に含まれる前記第２大セル識別情報とを比較し、前記第１大セル識別情報と前記第２大セル識別情報とが一致したと判定すると、優先して在圏すべきセルの周波数帯域が前記小セルの周波数帯域であることを判別可能な判別情報を含む前記優先周波数判別情報を設定し、前記第１大セル識別情報と前記第２大セル識別情報とが一致しないと判定すると、優先して在圏すべきセルの周波数帯域が、前記移動端末の仕様に基づき予め設定された通信方式の周波数帯域であることを判別可能な判別情報を含む前記優先周波数判別情報を設定することを特徴とする請求項１又は請求項２に記載の交換機。
【請求項４】
前記判別情報設定部は、優先して在圏すべきセルの周波数帯域が前記小セルの周波数帯域であることを判別可能な判別情報を含む前記優先周波数判別情報を設定する際に、予め設定された通信方式に対応する前記小セルの周波数帯域を最優先として、次に優先して在圏すべき周波数帯域を前記移動端末の仕様に基づき予め設定された通信方式のセルの周波数帯域とし、該周波数帯域以降に優先して在圏すべき周波数帯域を他の通信方式のセルの周波数帯域とする段階的に優先順位の付けられた複数の周波数帯域を判別可能な判別情報を含む前記優先周波数判別情報を設定することを特徴とする請求項２又は請求項３に記載の交換機。
【請求項５】
前記複数種類の通信方式は、３Ｇ（3rd Generation）方式を含み、
前記優先周波数判別情報は、３Ｇ方式の通信網において、当該交換機と前記無線制御装置との間の通信において用いられる通信プロトコルであるＲＡＮＡＰ（Radio Access Network Application Part）プロトコルの制御信号に含まれるＳＰＩＤ（Subscriber Profile ID for Radio Frequency Priority）であることを特徴とする請求項１乃至請求項４のいずれか１項に記載の交換機。
【請求項６】
前記複数種類の通信方式は、ＬＴＥ（Long Term Evolution）方式を含み、
前記優先周波数判別情報は、ＬＴＥ方式の通信網において、当該交換機と前記無線制御装置との間の通信において用いられる通信プロトコルであるＳ１−ＡＰ（S1 Application Protocol）の制御信号に含まれるＳＰＩＤ（Subscriber Profile ID for Radio Frequency Priority）であることを特徴とする請求項１乃至請求項５のいずれか１項に記載の交換機。
【請求項７】
複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機の備えるコンピュータにおいて実行される交換機制御プログラムであって、
予め設定された前記移動端末の前記小セルに優先的に在圏するか否かを設定する情報である在圏ポリシー情報を前記移動通信システム内に設けられた加入者情報保持装置から取得する在圏ポリシー情報取得ステップと、
前記移動端末が優先して在圏すべき通信方式に対応するセルの周波数帯域を判別するための情報である優先周波数判別情報と、前記在圏ポリシー情報取得ステップで取得した前記在圏ポリシー情報とに基づき、優先して在圏すべきセルの周波数帯域を判別可能な判別情報を含む優先周波数判別情報を設定する判別情報設定ステップと、
前記判別情報設定ステップで設定した前記優先周波数判別情報を含む制御信号である優先周波数判別信号を前記無線制御装置に送信する優先周波数判別信号送信ステップと、を有する処理を実行するためのプログラムを含むことを特徴とする交換機制御プログラム。
【請求項８】
複数種類の移動通信方式にそれぞれ対応する複数の移動通信網を含んで構成されると共に、移動端末との通信可能なエリアの大きさが比較的大きいセルである大セルと、前記大セルよりも前記通信可能なエリアの大きさが極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機を制御する交換機制御方法であって、
前記交換機が、予め設定された前記移動端末の前記小セルに優先的に在圏するか否かを設定する情報である在圏ポリシー情報を前記移動通信システム内に設けられた加入者情報保持装置から取得する在圏ポリシー情報取得ステップと、
前記交換機が、前記移動端末が優先して在圏すべき通信方式に対応するセルの周波数帯域を判別するための情報である優先周波数判別情報と、前記在圏ポリシー情報取得ステップで取得した前記在圏ポリシー情報とに基づき、優先して在圏すべきセルの周波数帯域を判別可能な判別情報を含む優先周波数判別情報を設定する判別情報設定ステップと、
前記交換機が、前記判別情報設定ステップで設定した前記優先周波数判別情報を含む制御信号である優先周波数判別信号を前記無線制御装置に送信する優先周波数判別信号送信ステップと、を含むことを特徴とする交換機制御方法。
【請求項９】
複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置であって、
当該無線制御装置を配下に有する交換機から、前記移動端末が優先して在圏すべき通信方式に対応するセルの周波数帯域を判別するための情報である優先周波数判別情報と、前記移動端末の前記小セルに優先的に在圏するか否かを設定する情報である在圏ポリシー情報とに基づき設定された、優先して在圏すべきセルの周波数帯域を判別可能な判別情報を含む優先周波数判別情報を含む制御信号である優先周波数判別信号を受信する優先周波数判別信号受信部と、
前記交換機から受信した前記優先周波数判別信号に含まれる優先周波数判別情報に基づき、前記移動端末が優先して在圏すべき通信方式に対応するセルの周波数帯域を判別する周波数帯域判別部と、
前記周波数帯域判別部で判別した周波数帯域を、前記移動端末のセルのサーチ周波数帯域として指定する情報を含む制御信号であるサーチ周波数指定信号を前記移動端末に送信するサーチ周波数指定信号送信部と、を備え、
前記サーチ周波数指定信号送信部は、前記サーチ周波数指定信号を、前記移動端末が待ち受け状態に遷移するタイミングで前記移動端末に送信することを特徴とする無線制御装置。
【請求項１０】
複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムであって、
前記大セルを介した移動端末との間の無線通信及び前記小セルを介した前記移動端末との間の無線通信を制御する無線制御装置と、前記無線制御装置を配下に有する交換機と、加入者情報を保持する加入者情報保持装置とを備え、
前記加入者情報保持装置は、
前記交換機からの取得要求に応じて、予め設定された前記移動端末の前記小セルに優先的に在圏するか否かを設定する情報である在圏ポリシー情報を前記交換機に送信する在圏ポリシー情報送信部を備え、
前記交換機は、
前記加入者情報保持装置から、前記在圏ポリシー情報を取得する在圏ポリシー情報取得部と、
前記移動端末が優先して在圏すべき通信方式に対応するセルの周波数帯域を判別するための情報である優先周波数判別情報と、前記在圏ポリシー情報取得部で取得した前記在圏ポリシー情報とに基づき、優先して在圏すべき周波数帯域を判別可能な判別情報を含む優先周波数判別情報を設定する判別情報設定部と、
前記判別情報設定部で設定した前記優先周波数判別情報を含む制御信号である優先周波数判別信号を前記無線制御装置に送信する優先周波数判別信号送信部と、を備え、
前記無線制御装置は、
前記交換機から、前記優先周波数判別信号を受信する優先周波数判別信号受信部と、
前記優先周波数判別信号受信部で受信した前記優先周波数判別信号に含まれる優先周波数判別情報に基づき、前記移動端末が優先して在圏すべき通信方式に対応するセルの周波数帯域を判別する周波数帯域判別部と、
前記周波数帯域判別部で判別した周波数帯域を、前記移動端末のセルのサーチ周波数帯域として指定する情報を含む制御信号であるサーチ周波数指定信号を前記移動端末に送信するサーチ周波数指定信号送信部と、を備えることを特徴とする移動通信システム。
【発明の詳細な説明】
【技術分野】
【０００１】
本発明は、複数種類の通信方式の通信網が共存する移動通信システムにおいて、移動端末を小セルに優先的に在圏させる技術に関する。
【背景技術】
【０００２】
従来、例えば、３Ｇ方式の通信網を含んで構成される移動通信システムにおいて、半径数百ｍ〜十数ｋｍの比較的大きいセル（以下、「マクロセル」と称す）において通信サービスを提供するマクロセル用無線基地局に加えて、半径数ｍ〜数十ｍ程度の極めて小さなセル（以下、「フェムトセル」と称す）において通信サービスを提供するフェムトセル用無線基地局が設置されている。
このようなフェムトセル用無線基地局は、通信事業者によって設置されるのではなく、通信事業者の加入者によって設置されるものであった（非特許文献１参照）。
そのため、通常、マクロセルの周波数帯域は、当該マクロセル配下の多数の移動端末によって共用されるのに対して、フェムトセル用無線基地局を設置した加入者は、フェムトセルの周波数帯域を占有することができる。
【０００３】
また、かかるフェムトセル用無線基地局は、専用線ではなく、かかる加入者のユーザ回線を用いて、通信事業者のコアネットワークに接続される。そのため、通信事業者における設備負担を軽減することができ、かつ、かかる加入者の通信料金の低廉化を実施することができる。加えて、フェムトセルを利用することによるトラヒックオフロードの効果も期待できる。
【０００４】
また、フェムトセル用無線基地局を設置した加入者（フェムトセルの登録ユーザ）が、初回にフェムトセルを利用する場合、通常は、フェムトセルのエリアを包含するマクロセル（以下、カバーセルと称す）のエリア内において、自己の移動端末にフェムトセル用の特定番号を入力して発信するといった手順を踏むことになる。または、移動端末を用いたメニュー操作によって特定番号を含むＵＳＳＤ（Unstructured Supplementary Service Data）を発信するといった手順を踏むことになる（特許文献１参照）。以下、これらの手順を特番発信と称す。
【０００５】
具体的に、図１４に示すように、カバーセルに在圏している携帯端末からＭＳＣ（Mobile Switching Center）へと特番発信を行うと、既存のコネクション解放処理が実行される。そして、ＭＳＣからＩＰＲＮＣ（Internet Protocol Radio Network Controller）へ、更にＩＰＲＮＣから移動端末へと、移動端末がフェムトセルに在圏するための情報（フェムトセル在圏フラグ等）を含む制御信号が順次送信される。これにより、移動端末は、制御信号に含まれる情報に基づき該当のフェムトセルをサーチする。移動端末は、セルサーチによって該当のフェムトセルを見つけ出すと、図１５に示すように、現在在圏しているカバーセルから切断し、該当のフェムトセルへと在圏移動する。
【０００６】
以下、図１６に基づき、メニュー操作による特番発信を行った場合の具体的な動作シーケンスを説明する。
ユーザのメニュー操作による特番発信によって、図１６に示すように、まず、移動端末からＭＳＣへと、「Ｒｅｇｉｓｔｅｒ」信号にのせて、特定番号（例えば＊１３７＃）を含むＵＳＳＤが発信される（Ｓ３０００）。ここで、移動端末とＭＳＣとの間の信号の送受信は、基本的に、マクロセルに対応する基地局であるＭａｃｒｏＢＴＳ（Base Transmission Station）及びＩＰＲＮＣを介して行われる。
【０００７】
ＭＳＣにおいて、「Ｒｅｇｉｓｔｅｒ」信号が受信されると、新規ＵＳＳＤコード（特定番号）が認識される（Ｓ３００２）。新規ＵＳＳＤコードが認識されると、ＭＳＣと、ＩＰＲＮＣと、移動端末との間で、既存のコネクション解放処理が実行される。まず、ＭＳＣは、周波数サーチ起動をメモリに記憶し、次いで、サーチ周波数を記憶する（初期はｆ＝０）（Ｓ３００４）。ここで、システム誘導（後述）の周波数記憶処理における、該当マクロセルの位置登録エリア（ＬＡ（Location Area））に対応するフェムトセルの周波数の記憶データがある場合はｆ＝記憶周波数に設定する。次に、ＭＳＣから移動端末へと、コネクションの解放が成功したことを通知する「Ｒｅｌｅａｃｅ  Ｃｏｍｐｌｅｔｅ」信号が送信される（Ｓ３００６）。次に、ＭＳＣからＩＰＲＮＣへと、フェムトセルの周波数情報（ＣＳＧ（Closed Subscriber Group） Carrier Number=f））を含むＩｕコネクションの切断信号（「Ｉｕ  Ｃｏｎｎｅｃｔｉｏｎ  Ｒｅｌｅａｃｅ」信号）が送信される（Ｓ３００８）。この制御信号は、ＲＡＮＡＰ（Radio Access Network Application Part）プロトコルの信号であり、フェムトセルの周波数情報は、例えば、「Ｉｕ  Ｃｏｎｎｅｃｔｉｏｎ  Ｒｅｌｅａｃｅ」信号に対して設けられた、通信事業者の独自のデータフィールドに設定される。一方、「Ｉｕ  Ｃｏｎｎｅｃｔｉｏｎ  Ｒｅｌｅａｃｅ」信号を受信したＩＰＲＮＣは、フェムトセルの周波数情報を含むＲＲＣ（Radio Resource Control）コネクションの切断（解放）信号（「ＲＲＣ  Ｃｏｎｎｅｃｔｉｏｎ  Ｒｅｌｅａｃｅ」信号）を移動端末に送信する（Ｓ３０１０）。これにより、ＲＲＣコネクションが解放されると、移動端末は、フェムトセルの周波数を用いたセルサーチを実施する。そして、移動端末は、セルサーチによって該当のフェムトセルを見つけ出すと、現在在圏しているマクロセルから切断し、該当のフェムトセルへと在圏移動する。
【０００８】
その後、ＣＳ（Circuit Switched）単独アタッチ又はＣＳ単独位置登録が発生して、移動端末からＭＳＣへと「Ｌｏｃａｔｉｏｎ  Ｕｐｄａｔｉｎｇ  Ｒｅｑｕｅｓｔ」信号が送信される（Ｓ３０１２）。これにより、ＭＳＣ及びＳＧＳＮでは、フェムトＢＴＳ在圏時の周波数記憶処理が実行される（Ｓ３０１４）。具体的に、移動端末の在圏したフェムトセルをカバーするマクロセルのＬＡＣ（Location Area Code）と、フェムトセルの周波数を加入者プロファイルに記憶する。このときのマクロセルのＬＡＣをＨｏｍｅＬＡＣと称す。その後、既存の位置登録処理が実施される。
【０００９】
次に、図１７に基づき、移動端末を１度在圏したフェムトセルに自発的に誘導する従来の動作シーケンスを説明する。
まず、電源投入時又は位置更新時に、移動端末から「Ａｔｔａｃｈ  Ｒｅｑｕｅｓｔ」信号又は「ＲＡＵ（Routing Area Update）  Ｒｅｑｕｅｓｔ」信号がＳＧＳＮ（Serving GPRS Support Node）に送信される（Ｓ３１００）。次に、ＩＰＲＮＣからＳＧＳＮへと、ＬＡＩ（Location Area Identifier）を含む「Ｉｎｉｔｉａｌ  ＵＥ  Ｍｅｓｓａｇｅ」信号が送信される（Ｓ３１０２）。ここで、ＬＡＩには、ＰＬＭＮ（Public Land Mobile Network）ｉｄと、移動端末の在圏しているマクロセルのＬＡＣと、が含まれる。その後、既存の位置登録処理が実施される。まず、該当のＳＧＳＮ（以下、ＳＧＳＮ＃１と称す）から移動端末へと「Ａｔｔａｃｈ  Ａｃｃｅｐｔ」信号又は「ＲＡＵ  Ａｃｃｅｐｔ」信号が送信される（Ｓ３１０２）。次に、この信号を受信した移動端末からＳＧＳＮへと、「Ａｔｔａｃｈ  Ｃｏｍｐｌｅｔｅ」信号又は「ＲＡＵ  Ｃｏｍｐｌｅｔｅ」信号が送信される（Ｓ３１０４）。次に、この信号を受信したＳＧＳＮからＩＰＲＮＣへと、「ＧＭＭ  ｉｎｆｏｒｍａｔｉｏｎ（General Packet Radio Service Mobility Management information）」信号が送信される（Ｓ３１０６）。その後、ＳＧＳＮにおいて、「Ｉｎｉｔｉａｌ  ＵＥ  Ｍｅｓｓａｇｅ」信号で受信したＬＡＣと、加入者プロファイルのＨｏｍｅＬＡＣとを比較し、両者が一致しているか否かを判定する（Ｓ３１０８）。そして、一致していると判定された場合、ＳＧＳＮは、フェムトセルのＩＤ（Femto ID）と、周波数情報（ＣＳＧ Carrier Number）とを含む「Ｉｕ  Ｒｅｌｅａｃｅ  Ｃｏｍｍａｎｄ」信号をＩＰＲＮＣに送信する（Ｓ３１１０）。一方、一致してないと判定した場合、ＳＧＳＮは、通常の「Ｉｕ  Ｒｅｌｅａｃｅ  Ｃｏｍｍａｎｄ」信号をＩＰＲＮＣに送信する（Ｓ３１１２）。その後、この信号を受信したＩＰＲＮＣは、フェムトセルの周波数情報を含む「ＲＲＣ  Ｃｏｎｎｅｃｔｉｏｎ  Ｒｅｌｅａｃｅ」信号を移動端末に送信する。この信号を受信した移動端末は、フェムトセルの周波数情報を用いてセルサーチを行い、該当のフェムトセルを見つけ出すと、現在在圏しているマクロセルから該当のフェムトセルへと在圏移動する。
【００１０】
一方、３Ｇ方式の通信網に加えて、ＬＴＥ（Long Term Evolution）方式の通信網を含んで構成される移動通信システムでは、３ＧＰＰ（3rd Generation Partnership Project）の規格策定した標準仕様において、ＣＳＧに属さないユーザにも開放するＨｙｂｒｉｄ型のフェムトセルについての仕様が定められている。特に、「ＬＴＥ  Ｒｅｌｅａｃｅ  ９」では、ＣＳＧ識別子（ＩＤ）とともに、１ビットのフラグにて、Ｈｙｂｒｉｄ型のフェムトセルが、ＣＳＧに属するか否かを報知することが可能となっている。つまり、フラグによってＣＳＧに属すると判定された場合は、上記３Ｇ方式のフェムトセルと同様に登録ユーザにのみ通信サービスを提供する。一方、フラグによってＣＳＧに属さないと判定された場合は、ＣＳＧに属さないユーザにも通信サービスを提供するというものである（非特許文献２を参照）。
【００１１】
特に、一般解放されるフェムトセルは、その基地局が、登録ユーザの家屋内に限らず、通信事業者によってマクロセルのカバーできない陰影地域に設置される。そのため、３Ｇ方式のフェムトセル基地局よりも多くの基地局が設置されることが想定される。従って、移動端末をＬＴＥ方式のフェムトセルへと優先的に誘導することでトラヒックオフロードの効果はより顕著となることが予想できる。また、フェムトセルは、在圏できる移動端末の数に制限があるため、移動端末１台あたりのデータ通信容量を大きくすることが可能となる。従って、フェムトセルに在圏することで、マクロセルと比較して品質の高い通信サービスを受けることが可能となる。
【先行技術文献】
【特許文献】
【００１２】
【特許文献１】ＷＯ２００９／１４８１６７号公報
【非特許文献】
【００１３】
【非特許文献１】NTT DOCOMO テクニカル・ジャーナル Vol.17 No.4 (pp19〜25)
【非特許文献２】NTT DOCOMO テクニカル・ジャーナル Vol.18 No.1 (pp48〜55)
【発明の概要】
【発明が解決しようとする課題】
【００１４】
しかしながら、上記従来技術では、フェムトセルの周波数情報を移動端末に提供するのに、標準で使用されている信号の標準フィールドでは無く、標準の信号に対して通信事業者が独自に設定したフィールドを用いていた。
また、上記従来技術では、パケット通信を行っている最中でも、過去に在圏したことのあるフェムトセルへと自発的に在圏移動する処理が実施されるため、ユーザの意思に関係なくパケット通信を強制的に切断してしまうといった問題があった。
【００１５】
本発明は、このような課題を解決するためになされたものであり、フェムトセルの周波数情報を標準信号の標準フィールドを用いて移動端末に提供するに好適な交換機、交換機制御プログラム及び交換機制御方法並びに移動通信システムを提供することを目的としている。
【課題を解決するための手段】
【００１６】
〔形態１〕
上記課題を解決するために、本発明に係る形態１の交換機は、複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機であって、
予め設定された前記移動端末の前記小セルに優先的に在圏するか否かを設定する情報である在圏ポリシー情報を前記移動通信システム内に設けられた加入者情報保持装置から取得する在圏ポリシー情報取得部と、
前記移動端末が優先して在圏すべき通信方式に対応するセルの周波数帯域を判別するための情報である優先周波数判別情報と、前記在圏ポリシー情報取得部で取得した前記在圏ポリシー情報とに基づき、優先して在圏すべきセルの周波数帯域を判別可能な判別情報を含む優先周波数判別情報を設定する判別情報設定部と、
前記判別情報設定部で設定した前記優先周波数判別情報を含む制御信号である優先周波数判別信号を前記無線制御装置に送信する優先周波数判別信号送信部と、を備えることを特徴とする。
【００１７】
このような構成であれば、在圏ポリシー情報取得部において、加入者情報保持装置から移動端末の小セルに在圏するか否かを設定する情報である在圏ポリシー情報を取得することが可能である。更に、判別情報設定部において、優先周波数判別情報と、在圏ポリシー情報とに基づき、優先して在圏すべきセルの周波数帯域を判別可能な判別情報を含む優先周波数判別情報を設定することが可能である。更に、優先周波数判別信号送信部において、判別情報設定部で設定した優先周波数判別情報を含む優先周波数判別信号を無線制御装置に送信することが可能である。
【００１８】
ここで、例えば、３Ｇ方式の通信網において、ＵＴＲＡＮ（UMTS Terrestrial Radio Access Network）とコアネットワーク間で相互に制御情報をやりとりするための標準プロトコルであるＲＡＮＡＰプロトコルがある。ＲＡＮＡＰプロトコルは、例えば、Ｗ−ＣＤＭＡ方式の通信網において、無線制御装置（ＲＮＣ）と交換機（ＳＧＳＮ）との間で用いられる。また、ＬＴＥ方式の通信網において、無線制御装置の機能を有する基地局（ｅＮｏｄｅＢ）と交換機（ＭＭＥ（Mobility Management Entity））との間のアプリケーション層の標準プロトコルとしてＳ１−ＡＰ（S1 Application Protocol）がある。これらのプロトコルにおいては、優先周波数判別情報として、制御信号に予め設けられている標準上のフィールドに設定可能なＳＰＩＤ（Subscriber Profile ID for Radio Frequency Priority）が規定されている。
【００１９】
上記構成であれば、例えば、３Ｇ方式の通信網とＬＴＥ方式の通信網とを含んで構成される移動通信システムにおいて、ＳＰＩＤと在圏ポリシー情報とに基づき、優先して在圏すべき周波数帯域に対応する判別情報を含む優先周波数判別情報を設定することが可能となる。これにより、標準信号に対して通信事業者の独自のフィールドを設定することなく標準信号の標準上のフィールドを用いて、小セルに優先的に在圏するか否かを判別可能な判別情報を含む優先周波数判別情報を設定することができる。そして、かかる優先周波数判別情報を含む制御信号を無線制御装置に送信することが可能となる。これにより、比較的汎用性の高い移動通信システムを構築することができるという効果が得られる。
ここで、上記小セルは、例えば、マイクロセル、ピコセル、フェムトセルなどが該当する。
【００２０】
また、上記在圏ポリシー情報は、例えば、（１）移動端末が優先的に小セルに在圏しない、（２）移動端末が全ての小セルに対して優先的に在圏する、（３）移動端末が特定の小セルに対して優先的に在圏する等を設定する情報となる。つまり、判別情報設定部は、上記（１）の在圏ポリシー情報であれば、移動端末に対して小セルを優先的にサーチしないように優先周波数判別情報を設定する。また、判別情報設定部は、上記（２）の在圏ポリシー情報であれば、全ての小セルを優先的にサーチするように優先周波数判別情報を設定する。また、判別情報設定部は、上記（３）の在圏ポリシー情報であれば、特定の小セルを優先的にサーチするように優先周波数判別情報を設定する。
【００２１】
〔形態２〕
更に、形態２の交換機は、上記形態１の構成に対して、前記在圏ポリシー情報は、前記移動端末を全ての前記小セルへと優先的に在圏させる小セル優先在圏ポリシー情報を含んでおり、
前記判別情報設定部は、前記在圏ポリシー情報が前記小セル優先在圏ポリシー情報であると判定すると、優先して在圏すべきセルの周波数帯域が前記小セルの周波数帯域であることを判別可能な判別情報を含む優先周波数判別情報を設定することを特徴としている。
【００２２】
このような構成であれば、判別情報設定部において、優先してサーチする周波数帯域として小セルの周波数帯域を判別可能な判別情報を含む優先周波数判別情報を設定することが可能である。
これにより、あらゆるマクロセルにおいて移動端末を、特番発信等のユーザによる手動操作無しに、小セルに優先的に在圏させることが可能となる。従って、ユーザの移動端末に対して、比較的品質の高い通信サービスを提供できると共に、トラヒックオフロードの効果を向上することができるという効果が得られる。
【００２３】
〔形態３〕
更に、形態３の交換機は、上記形態１又は２の構成に対して、前記在圏ポリシー情報は、前記移動端末を特定の前記大セルからその大セル内に存在する前記小セルへと優先的に在圏させる特定小セル優先在圏ポリシー情報を含んでおり、
前記移動端末が前記小セルに在圏したことに応じて発生する位置登録に係る制御信号に基づき、前記移動端末が在圏している前記小セルのエリアを包含する前記大セルの識別情報である第１大セル識別情報を前記加入者情報保持装置に登録する第１大セル識別情報登録部と、
前記加入者情報保持装置から、前記第１大セル識別情報を取得する第１大セル識別情報取得部と、
前記無線制御装置から前記移動端末の在圏している前記大セルの識別情報である第２大セル識別情報を含む制御信号を受信する制御信号受信部と、を更に備え、
前記判別情報設定部は、前記制御信号受信部で前記制御信号を受信したことに応じて前記在圏ポリシー情報の内容を判定し、該在圏ポリシー情報が前記特定小セル優先在圏ポリシー情報であると判定すると、前記第１大セル識別情報取得部で取得した前記第１大セル識別情報と前記制御信号受信部で受信した前記制御信号に含まれる前記第２大セル識別情報とを比較し、前記第１大セル識別情報と前記第２大セル識別情報とが一致したと判定すると、優先して在圏すべきセルの周波数帯域が前記小セルの周波数帯域であることを判別可能な判別情報を含む前記優先周波数判別情報を設定し、前記第１大セル識別情報と前記第２大セル識別情報とが一致しないと判定すると、優先して在圏すべきセルの周波数帯域が、前記移動端末の仕様に基づき予め設定された通信方式の周波数帯域であることを判別可能な判別情報を含む前記優先周波数判別情報を設定することを特徴としている。
【００２４】
このような構成であれば、第１大セル識別情報登録部において、移動端末が、小セルに在圏したことに応じて、該小セルを包含する大セルの第１大セル識別情報を加入者情報保持装置に登録することが可能である。更に、第１大セル識別情報取得部において、加入者情報保持装置から、第１大セル識別情報を取得することが可能である。更に、第２大セル識別情報取得部において、無線制御装置から、移動端末の在圏している大セルの第２大セル識別情報を取得することが可能である。そして、判別情報設定部は、制御信号受信部で制御信号を受信したことに応じて、第１大セル識別情報と第２大セル識別情報とを比較し、両者が一致したと判定すると、小セルを優先してサーチする周波数帯域を判別可能な判別情報を含む優先周波数判別情報を設定することが可能である。一方、判別情報設定部は、両者が一致していないと判定すると、移動端末の仕様に基づき予め設定された通信方式の周波数帯域を判別可能な判別情報を含む優先周波数判別情報を設定することが可能である。
【００２５】
これにより、移動端末が、過去に在圏したことのある小セルを包含するマクロセルに在圏したときに、該移動端末を、小セルに優先的に在圏させることが可能となる。従って、過去に在圏実績のある小セルを包含する特定の大セルに在圏したときだけ、小セルをサーチさせることができるので、小セルに優先的に在圏させることによる上記形態２の効果に加えて、消費電力を節約することができるという効果も得られる。
【００２６】
〔形態４〕
更に、形態４の交換機は、上記形態１乃至３のいずれか１の構成に対して、前記判別情報設定部は、優先して在圏すべきセルの周波数帯域が前記小セルの周波数帯域であることを判別可能な判別情報を含む前記優先周波数判別情報を設定する際に、予め設定された通信方式に対応する前記小セルの周波数帯域を最優先として、次に優先して在圏すべき周波数帯域を前記移動端末の仕様に基づき予め設定された通信方式のセルの周波数帯域とし、該周波数帯域以降に優先して在圏すべき周波数帯域を他の通信方式のセルの周波数帯域とする段階的に優先順位の付けられた複数の周波数帯域を判別可能な判別情報を含む前記優先周波数判別情報を設定することを特徴としている。
このような構成であれば、移動端末において、セルサーチによって小セルが見つからなかったときに、該移動端末を、予め設定された通信方式における大セルや、他の通信方式の大セル等にスムーズに在圏移動させることが可能となる。
【００２７】
〔形態５〕
更に、形態５の交換機は、上記形態１乃至４のいずれか１の構成に対して、前記複数種類の通信方式は、３Ｇ（3rd Generation）方式を含み、
前記優先周波数判別情報は、３Ｇ方式の通信網において、当該交換機と前記無線制御装置との間の通信において用いられる通信プロトコルであるＲＡＮＡＰ（Radio Access Network Application Part）プロトコルの制御信号に含まれるＳＰＩＤ（Subscriber Profile ID for Radio Frequency Priority）であることを特徴としている。
【００２８】
このような構成であれば、３Ｇ方式の通信網において、優先周波数判別情報として、ＲＡＮＡＰプロトコルの制御信号に含まれるＳＰＩＤを用いることが可能となる。これにより、標準信号に対して通信事業者の独自のフィールドを設定することなく標準上のフィールドを用いて、小セルに優先的に在圏するか否かを判別可能な判別情報を含む優先周波数判別情報を設定することができるという効果が得られる。
【００２９】
〔形態６〕
更に、形態６の交換機は、上記形態１乃至５のいずれか１の構成に対して、前記複数種類の通信方式は、ＬＴＥ（Long Term Evolution）方式を含み、
前記優先周波数判別情報は、ＬＴＥ方式の通信網において、当該交換機と前記無線制御装置との間の通信において用いられる通信プロトコルであるＳ１−ＡＰ（S1 Application Protocol）の制御信号に含まれるＳＰＩＤ（Subscriber Profile ID for Radio Frequency Priority）であることを特徴としている。
【００３０】
このような構成であれば、ＬＴＥ方式の通信網において、優先周波数判別情報として、Ｓ１−ＡＰの制御信号に含まれるＳＰＩＤを用いることが可能となる。これにより、標準信号に対して通信事業者の独自のフィールドを設定することなく標準上のフィールドを用いて、小セルに優先的に在圏するか否かを判別可能な判別情報を含む優先周波数判別情報を設定することができるという効果が得られる。
【００３１】
〔形態７〕
一方、上記目的を達成するために、本発明に係る形態７の交換機制御プログラムは、複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機の備えるコンピュータにおいて実行される交換機制御プログラムであって、
予め設定された前記移動端末の前記小セルに優先的に在圏するか否かを設定する情報である在圏ポリシー情報を前記移動通信システム内に設けられた加入者情報保持装置から取得する在圏ポリシー情報取得ステップと、
前記移動端末が優先して在圏すべき通信方式に対応するセルの周波数帯域を判別するための情報である優先周波数判別情報と、前記在圏ポリシー情報取得ステップで取得した前記在圏ポリシー情報とに基づき、優先して在圏すべきセルの周波数帯域を判別可能な判別情報を含む優先周波数判別情報を設定する判別情報設定ステップと、
前記判別情報設定ステップで設定した前記優先周波数判別情報を含む制御信号である優先周波数判別信号を前記無線制御装置に送信する優先周波数判別信号送信ステップと、を有する処理を実行するためのプログラムを含むことを特徴としている。
このような構成であれば、コンピュータによってプログラムが読み取られ、読み取られたプログラムに従ってコンピュータが処理を実行すると、形態１に記載の交換機と同等の作用及び効果が得られる。
【００３２】
〔形態８〕
また、上記目的を達成するために、本発明に係る形態８の交換機制御方法は、複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置を配下に有する交換機を制御する交換機制御方法であって、
前記交換機が、予め設定された前記移動端末の前記小セルに優先的に在圏するか否かを設定する情報である在圏ポリシー情報を前記移動通信システム内に設けられた加入者情報保持装置から取得する在圏ポリシー情報取得ステップと、
前記交換機が、前記移動端末が優先して在圏すべき通信方式に対応するセルの周波数帯域を判別するための情報である優先周波数判別情報と、前記在圏ポリシー情報取得ステップで取得した前記在圏ポリシー情報とに基づき、優先して在圏すべきセルの周波数帯域を判別可能な判別情報を含む優先周波数判別情報を設定する判別情報設定ステップと、
前記交換機が、前記判別情報設定ステップで設定した前記優先周波数判別情報を含む制御信号である優先周波数判別信号を前記無線制御装置に送信する優先周波数判別信号送信ステップと、を含むことを特徴としている。
これによって、形態１の交換機と同等の作用及び効果が得られる。
【００３３】
〔形態９〕
また、上記目的を達成するために、本発明に係る形態９の無線制御装置は、複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムにおいて、前記大セルを介した前記移動端末との間の無線通信及び前記小セルを介した前記移動端末との間の無線通信を制御する無線制御装置であって、
当該無線制御装置を配下に有する交換機から、前記移動端末が優先して在圏すべき通信方式に対応するセルの周波数帯域を判別するための情報である優先周波数判別情報と、前記移動端末の前記小セルに優先的に在圏するか否かを設定する情報である在圏ポリシー情報とに基づき設定された、優先して在圏すべきセルの周波数帯域を判別可能な判別情報を含む優先周波数判別情報を含む制御信号である優先周波数判別信号を受信する優先周波数判別信号受信部と、
前記交換機から受信した前記優先周波数判別信号に含まれる優先周波数判別情報に基づき、前記移動端末が優先して在圏すべき通信方式に対応するセルの周波数帯域を判別する周波数帯域判別部と、
前記周波数帯域判別部で判別した周波数帯域を、前記移動端末のセルのサーチ周波数帯域として指定する情報を含む制御信号であるサーチ周波数指定信号を前記移動端末に送信するサーチ周波数指定信号送信部と、を備え、
前記サーチ周波数指定信号送信部は、前記サーチ周波数指定信号を、前記移動端末が待ち受け状態に遷移するタイミングで前記移動端末に送信することを特徴としている。
このような構成であれば、移動端末が待ち受け状態に遷移してから、該移動端末に小セルのサーチを実施させることができるため、パケット通信を強制的に切断するといったことが生じるのを防止することができるという効果が得られる。
【００３４】
〔形態１０〕
また、上記目的を達成するために、本発明に係る形態１０の移動通信システムは、複数種類の移動通信方式にそれぞれ対応する複数の移動通信網を含んで構成されると共に、移動端末との通信可能なエリアの大きさが比較的大きいセルである大セルと、前記通信可能なエリアの大きさが前記大セルよりも極小なセルである小セルとを含んで構成される移動通信システムであって、
前記大セルを介した前記移動端末との間の無線通信及び前記小セルを介した前記移動端末との間の無線通信を制御する無線制御装置と、前記無線制御装置を配下に有する交換機と、加入者情報を保持する加入者情報保持装置とを備え、
前記加入者情報保持装置は、
前記交換機からの取得要求に応じて、予め設定された前記移動端末の前記小セルに優先的に在圏するか否かを設定する情報である在圏ポリシー情報を前記交換機に送信する在圏ポリシー情報送信部、を備え、
前記交換機は、
前記加入者情報保持装置から、前記在圏ポリシー情報を取得する在圏ポリシー情報取得部と、
前記移動端末が優先して在圏すべき通信方式に対応するセルの周波数帯域を判別するための情報である優先周波数判別情報と、前記在圏ポリシー情報取得部で取得した前記在圏ポリシー情報とに基づき、優先して在圏すべき周波数帯域を判別可能な判別情報を含む優先周波数判別情報を設定する判別情報設定部と、
前記判別情報設定部で設定した前記優先周波数判別情報を含む制御信号である優先周波数判別信号を前記無線制御装置に送信する優先周波数判別信号送信部と、を備え、
前記無線制御装置は、
前記交換機から受信した前記優先周波数判別信号に含まれる優先周波数判別情報に基づき、前記移動端末が優先して在圏すべき通信方式に対応するセルの周波数帯域を判別する周波数帯域判別部と、
前記周波数帯域判別部で判別した周波数帯域を、前記移動端末のセルのサーチ周波数帯域として指定する情報を含む制御信号であるサーチ周波数指定信号を前記移動端末に送信するサーチ周波数指定信号送信部と、を備えることを特徴としている。
このような構成であれば、上記形態１の交換機と同等の作用及び効果が得られる。
【図面の簡単な説明】
【００３５】
【図１】実施形態に係る移動通信システム１の概略構成図である。
【図２】実施形態に係る加入者情報サーバＨＳＳの機能ブロック図である。
【図３】実施形態に係る在圏ポリシー情報の一例を示す図である。
【図４】実施形態に係る交換機ＭＭＥ／ＳＧＳＮの機能ブロック図である。
【図５】ＳＰＩＤの値と移動端末ＵＥが優先して在圏すべき通信方式との対応関係を示すデータテーブルの一例を示す図である。
【図６】実施形態に係る無線制御装置ｅＮＢ／ＩＰＲＮＣの機能ブロック図である。
【図７】実施形態に係る無線基地局ｅＮＢ及び無線制御装置ＩＰＲＮＣの送信部３３がサーチ周波数指定信号を送信するタイミングの一例を示す図である。
【図８】実施形態に係る移動端末ＵＥの機能ブロック図である。
【図９】（ａ）は、在圏ポリシー情報をＢモードに設定した場合の初期在圏方法の一例を示す図であり、（ｂ）は、特番発信による初期在圏方法の一例を示す図である。
【図１０】位置登録エリア情報の記憶処理の一例を示す図である。
【図１１】本実施形態の第１の動作例に係る移動通信システム１の動作を示すシーケンス図である。
【図１２】ＳＰＩＤ変換処理の処理手順の一例を示すフローチャートである。
【図１３】本実施形態の第２の動作例に係る移動通信システム１の動作を示すシーケンス図である。
【図１４】従来の特番発信による３Ｇフェムトセルへの誘導処理における信号の流れの概要を示す図である。
【図１５】従来の特番発信による３Ｇマクロセルから３Ｇフェムトセルへと遷移する様子を示す図である。
【図１６】従来のメニュー操作による特番発信を行った場合の具体的な動作シーケンスの一例を示す図である。
【図１７】移動端末ＵＥを過去に在圏したフェムトセルに自発的に誘導（システム誘導）する従来の動作シーケンスの一例を示す図である。
【発明を実施するための形態】
【００３６】
（第１実施形態）
以下、図面に基づき、本発明に係る交換機、交換機制御プログラム、交換機制御方法、無線制御装置及び移動通信システムの実施形態を説明する。ここで、図１〜図１３は、本発明に係る交換機、交換機制御プログラム、交換機制御方法、無線制御装置及び移動通信システムの実施形態を示す図である。
（１）構成
（１−１）移動通信システム１の構成
まず、図１に基づき、移動通信システム１の構成を説明する。図１は、移動通信システム１の概略構成を示すブロック図である。
本実施形態に係る移動通信システム１は、３Ｇ方式の１方式であるＷ−ＣＤＭＡ方式の通信網と、ＬＴＥ方式の移動通信網とを含んで構成されるシステムである。
具体的に、図１に示すように、本実施形態に係る移動通信システム１は、Ｗ−ＣＤＭＡ方式の交換機ＳＧＳＮと、Ｗ−ＣＤＭＡ方式の無線制御装置ＩＰＲＮＣと、を含んで構成される。
【００３７】
移動通信システム１は、更に、Ｗ−ＣＤＭＡ方式のマクロセルを形成する基地局であるＭａｃｒｏＢＴＳ（以下、マクロＢＴＳと称す）と、Ｗ−ＣＤＭＡ方式のフェムトセルを形成する基地局であるフェムトＢＴＳと、を含んで構成される。
移動通信システム１は、更に、ＬＴＥ方式の交換機ＭＭＥと、ＬＴＥ方式及びＷ−ＣＤＭＡ方式のマクロセルを形成する基地局及び無線制御装置を統合した装置である無線基地局ｅＮＢと、を含んで構成される。移動通信システム１は、更に、ＬＴＥ方式及びＷ−ＣＤＭＡ方式のフェムトセルを形成する基地局及び無線制御装置を統合した装置であるフェムト無線基地局ＨｅＮＢを含んで構成される。
【００３８】
以下、Ｗ−ＣＤＭＡ方式のマクロセルを、３Ｇマクロセルと称し、Ｗ−ＣＤＭＡ方式のフェムトセルを３Ｇフェムトセルと称す。更に、ＬＴＥ方式のマクロセルをＬＴＥマクロセルと称し、ＬＴＥ方式のフェムトセルをＬＴＥフェムトセルと称す。
移動通信システム１は、更に、Ｗ−ＣＤＭＡ方式の交換機ＳＧＳＮ及びＬＴＥ方式の交換機ＭＭＥに接続されている加入者情報保持装置である加入者情報サーバＨＳＳ（Home Subscriber Server）を含んで構成される。
【００３９】
なお、本実施形態において、フェムトＢＴＳは、フェムトＢＴＳ（ＨＮＢ（Home Node B））をコアネットワークに接続するためのゲートウェイ装置であるＨＮＢ−ＧＷ（Home Node B - Gateway）を経由してコアネットワークに接続する構成としてもよい。また、本実施形態において、フェムト無線基地局ＨｅＮＢは、フェムト無線基地局ＨｅＮＢをコアネットワークに接続するためのゲートウェイ装置であるＨｅＮＢ−ＧＷ（Home EUTRAN Node B - Gateway）を経由してコアネットワークに接続する構成としてもよい。
また、図１には、Ｗ−ＣＤＭＡ方式の通信網とＬＴＥ方式の移動通信網とを含んで構成される移動通信システムを構成する構成要素のうち、本実施形態に係る構成要素のみを示している。
【００４０】
（１−２）加入者情報サーバＨＳＳの機能構成例
次に、図２に基づき、本実施形態に係る加入者情報サーバＨＳＳの機能構成の一例を説明する。図２は、本実施形態に係る加入者情報サーバＨＳＳの機能ブロック図である。
図２に示すように、加入者情報サーバＨＳＳは、受信部１０と、加入者プロファイル取得部１１と、加入者情報管理部１２と、加入者情報更新部１３と、送信部１４と、を含んで構成される。
受信部１０は、交換機ＭＭＥ又は交換機ＳＧＳＮからの制御信号を受信したり、移動端末ＵＥに、カスタマーコントロール機能を提供するカスコンサーバ（不図示）からの加入者プロファイルの更新要求信号等を受信したりするように構成されている。
【００４１】
具体的に、受信部１０は、例えば、Ｗ−ＣＤＭＡ方式の交換機ＳＧＳＮによって送信された「Ｕｐｄａｔｅ  ＧＰＲＳ  Ｌｏｃａｔｉｏｎ」信号（位置情報更新信号）や、ＬＴＥ方式の交換機ＭＭＥによって送信された「Ｕｐｄａｔｅ  Ｌｏｃａｔｉｏｎ  Ｒｅｑｕｅｓｔ」信号（位置情報更新信号）等の制御信号を受信するように構成されている。
カスタマーコントロール機能は、サービスの機能の１つで、初期に設定されている各種項目をユーザ自身で随時変更することが可能な機能である。例えば、移動端末ＵＥから、Ｗｅｂサイト上で接続ユーザの設定や、管理者の登録内容の確認、利用状況の確認(ログレポート)、パスワードの変更などを行うことができる。
【００４２】
本実施形態では、ユーザは、カスタマーコントロール機能を利用して、自己の移動端末ＵＥのフェムトセルに対する在圏ポリシー情報を変更することが可能となっている。
ここで、図３は、本実施形態に係る在圏ポリシー情報の一例を示す図である。
図３に示すように、本実施形態における在圏ポリシー情報は、Ａモード、Ｂモード、Ｃモードといった３つのモードによって設定される。具体的に、Ａモードは、ＬＴＥフェムトセルを優先的にサーチしないモードである。つまり、Ａモードを設定した場合、移動端末ＵＥに対して、後述するＳＰＩＤの値に応じた通常のセルサーチ処理を実施させるようにする。また、Ｂモードは、全てのＬＴＥフェムトセルを優先的にサーチするモードである。つまり、Ｂモードを設定した場合、あらゆるマクロセルにおいて、移動端末ＵＥに対して、優先的にＬＴＥフェムトセルをサーチするようにセルサーチ処理を実施させる。また、Ｃモードは、過去に在圏したことのあるＬＴＥフェムトセルをカバーするマクロセルに在圏したときにのみＬＴＥフェムトセルを優先的にサーチするモードである。つまり、Ｃモードを設定した場合、移動端末ＵＥが過去に在圏したことのあるＬＴＥフェムトセルをカバーするマクロセルに在圏したときにのみ、移動端末ＵＥに対して、優先的にＬＴＥフェムトセルをサーチするようにセルサーチ処理を実施させる。
【００４３】
図２に戻って、加入者プロファイル取得部１１は、交換機ＭＭＥ又は交換機ＳＧＳＮからの制御信号に応じて、加入者情報管理部１２から加入者プロファイルを取得する。そして、取得した加入者プロファイルを送信部１４に出力するように構成されている。更に、加入者プロファイル取得部１１は、交換機ＭＭＥ又は交換機ＳＧＳＮからの移動端末ＵＥの識別子であるＩＭＥＩＳＶ（International Mobile station Equipment Identity and Software Version number）又はＩＭＥＩ（International Mobile station Equipment Identity）を含む制御信号の受信に応じて、加入者情報管理部１２から、ＩＭＥＩＳＶ又はＩＭＥＩ（以下、区別せずにＩＭＥＩと称す）に対応する移動端末ＵＥの仕様情報を取得する。そして、取得した仕様情報を送信部１４に出力するように構成されている。本実施形態において、仕様情報とは、ＩＭＥＩで特定される移動端末ＵＥが、ＬＴＥ方式に対応している端末か否か、ＣＳＦＢ（Circuit Switched Fallback）機能に対応している端末か否かを示す情報である。
【００４４】
加入者情報管理部１２は、各移動端末ＵＥの加入者情報を管理するように構成されている。例えば、加入者情報管理部１２は、各移動端末ＵＥの加入者情報として、ユーザの契約情報（フェムトセルの利用に係る契約情報を含む）、移動端末ＵＥの位置情報（位置登録エリア）を管理している交換機のアドレス、認証用の秘密キーなどの加入者プロファイルを管理するように構成されている。なお、フェムトセルの利用に係る契約情報は、フェムトセルの利用登録をしているユーザの情報であり、従来からのフェムトＢＴＳで提供される３Ｇフェムトセルの利用登録情報と、フェムト無線基地局ＨｅＮＢで提供される３Ｇフェムトセル及びＬＴＥフェムトセル（デュアルフェムトセル）の利用登録情報とを含んでいる。
【００４５】
加入者情報管理部１２は、更に、加入者プロファイルとして、各移動端末ＵＥの在圏ポリシー情報と、過去に在圏したフェムトセルをカバーするマクロセルの識別情報とを管理するように構成されている。
具体的に、加入者情報管理部１２は、在圏ポリシー情報としてＢモード又はＣモードが設定されているときに、移動端末ＵＥが在圏した３Ｇフェムトセルをカバーする（３Ｇフェムトセルにオーバーレイするとも言う）３Ｇマクロセルの識別情報であるＨｏｍｅＬＡＣを記憶保持するように構成されている。更に、加入者情報管理部１２は、ＬＴＥフェムトセルをカバーする（ＬＴＥフェムトセルにオーバーレイするとも言う）ＬＴＥマクロセルの識別情報であるＴＡＣ（Tracking Area Code）（以下、ＨｏｍｅＴＡＣと称す）を記憶保持するように構成されている。本実施形態において、加入者情報管理部１２は、過去に在圏したフェムトセルをカバーするマクロセルのＨｏｍｅＬＡＣ又はＨｏｍｅＴＡＣのうち新しいものから順に予め設定された数だけ記憶保持するように構成されている。従って、記憶されたＨｏｍｅＬＡＣ又はＨｏｍｅＴＡＣが予め設定された上限数に達している状態で新たなＨｏｍｅＬＡＣ又はＨｏｍｅＴＡＣを受信した場合は、古いものから順に削除する。なお、無線基地局ｅＮＢは、ＬＴＥマクロセル及び３Ｇマクロセルを両方とも形成するように構成されているため、移動端末ＵＥが、いずれか一方のマクロセルに在圏した場合に、いずれか他方の位置登録エリアの情報も知ることが可能となっている。本実施形態において、加入者情報管理部１２は、無線基地局ｅＮＢが形成するマクロセルがカバーセルであった場合に、ＨｏｍｅＬＡＣ及びＨｏｍｅＴＡＣを両方とも記憶保持するようになっている。
【００４６】
従って、本実施形態では、在圏ポリシー情報としてＣモードが設定された場合に、加入者情報管理部１２によって記憶保持されている予め設定された数のＨｏｍｅＬＡＣ又はＨｏｍｅＴＡＣと一致するＬＡＣ又はＴＡＣのカバーセルに移動端末ＵＥが在圏したときのみ、該移動端末ＵＥに対してＬＴＥフェムトセルを優先的にサーチさせることになる。なお、従来の３Ｇフェムトセルの利用登録がされた移動端末ＵＥでは、従来のシステム誘導が実行される。
【００４７】
加入者情報更新部１３は、受信部１０を介して、受信信号に含まれる在圏ポリシーの更新指示情報を取得すると、加入者情報管理部１２における対応する加入者プロファイルに含まれる在圏ポリシー情報を、更新指示情報に応じた内容に更新するように構成されている。更に、加入者情報更新部１３は、受信部１０を介して、位置情報の更新に係る制御信号に含まれるＨｏｍｅＬＡＣ又はＨｏｍｅＴＡＣを取得すると、加入者情報管理部１２における対応する加入者プロファイルに含まれるＨｏｍｅＬＡＣ又はＨｏｍｅＴＡＣを更新するように構成されている。
【００４８】
送信部１４は、「Ｕｐｄａｔｅ  Ｌｏｃａｔｉｏｎ  Ａｎｓｗｅｒ」信号（位置情報更新応答信号）を交換機ＭＭＥに送信したり、「Ｉｎｓｅｒｔ  Ｓｕｂｓｃｒｉｂｅｒ  Ｄａｔａ」信号（加入者情報送信信号）を交換機ＳＧＳＮに送信し、その応答を受信した後に、「Ｕｐｄａｔｅ  ＧＰＲＳ  Ｌｏｃａｔｉｏｎ  Ａｃｋ」信号（位置情報更新応答信号）を交換機ＳＧＳＮに送信したりするように構成されている。
なお、図２には、加入者情報サーバＨＳＳのうち本実施形態に係る構成要素のみを示している。
【００４９】
また、図示しないが、加入者情報サーバＨＳＳは、上記各機能を、ソフトウェアを用いて実現するため、及び各機能の実現に必要なハードウェアを制御するソフトウェアを実行するためのコンピュータシステムを備えている。
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、加入者情報サーバＨＳＳは、入出力Ｉ／Ｆを介して接続された、記憶装置、表示装置、入力装置、及び通信装置を備えている。
【００５０】
（１−３）交換機ＭＭＥ及び交換機ＳＧＳＮの機能構成例
次に、図４に基づき、本実施形態に係る交換機ＭＭＥ及び交換機ＳＧＳＮの機能構成の一例を説明する。図４は、本実施形態に係る交換機ＭＭＥ及び交換機ＳＧＳＮの機能ブロック図である。
図４に示すように、交換機ＭＭＥ及び交換機ＳＧＳＮは、受信部２０と、加入者プロファイル取得部２１と、加入者プロファイル管理部２２と、在圏マクロセル情報取得部２３と、端末仕様情報取得部２４と、優先周波数判別情報設定部２５と、ＳＰＩＤ管理部２６と、送信部２７と、を含んで構成される。
【００５１】
交換機ＭＭＥの受信部２０は、無線基地局ｅＮＢからの各種制御信号を受信したり、加入者情報サーバＨＳＳからの各種制御信号を受信したりするように構成されている。
具体的に、交換機ＭＭＥの受信部２０は、無線基地局ｅＮＢからＳ１−ＡＰの制御信号である「Ｉｎｉｔｉａｌ  ＵＥ  Ｍｅｓｓａｇｅ」信号等を受信したり、加入者情報サーバＨＳＳから「Ｕｐｄａｔｅ  Ｌｏｃａｔｉｏｎ  Ａｎｓｗｅｒ」信号等を受信したりするように構成されている。
【００５２】
また、交換機ＳＧＳＮの受信部２０は、無線制御装置ＩＰＲＮＣからの各種制御信号を受信したり、加入者情報サーバＨＳＳからの各種制御信号を受信したりするように構成されている。
具体的に、交換機ＳＧＳＮの受信部２０は、無線制御装置ＩＰＲＮＣからＲＡＮＡＰプロトコルの制御信号である「Ｉｎｉｔｉａｌ  ＵＥ  Ｍｅｓｓａｇｅ」信号等を受信したり、加入者情報サーバＨＳＳから「Ｉｎｓｅｒｔ  Ｓｕｂｓｃｒｉｂｅｒ  Ｄａｔａ」信号や、「Ｕｐｄａｔｅ  ＧＰＲＳ  Ｌｏｃａｔｉｏｎ  Ａｃｋ」信号等を受信したりするように構成されている。
【００５３】
交換機ＭＭＥ及び交換機ＳＧＳＮの加入者プロファイル取得部２１は、受信部２０において、加入者情報サーバＨＳＳから受信した加入者プロファイルを含む制御信号から、該制御信号に含まれる加入者プロファイルを取得する。そして、取得した加入者プロファイルを加入者プロファイル管理部２２に出力するように構成されている。
交換機ＭＭＥ及び交換機ＳＧＳＮの加入者プロファイル管理部２２は、加入者プロファイル取得部２１で取得された加入者プロファイルを管理するように構成されている。具体的に、交換機ＭＭＥ及び交換機ＳＧＳＮの加入者プロファイル管理部２２は、取得した加入者プロファイルを不図示の記憶装置に記憶保持し、各構成要素からの要求に応じて、記憶した加入者プロファイルに含まれる各種情報を記憶装置から読み出して、要求元の構成要素に出力するように構成されている。加入者プロファイル管理部２２で管理される加入者プロファイルには、上記在圏ポリシー情報と、上記ＨｏｍｅＴＡＣ及びＨｏｍｅＬＡＣとが含まれている。
【００５４】
交換機ＭＭＥの在圏マクロセル情報取得部２３は、受信部２０において、無線基地局ｅＮＢから受信した、移動端末ＵＥが在圏しているＬＴＥマクロセルに対応する位置登録エリアの識別情報であるＴＡＣを含む制御信号から、該制御信号に含まれるＴＡＣを取得する。そして、取得したＴＡＣを優先周波数判別情報設定部２５に出力する。
また、交換機ＳＧＳＮの在圏マクロセル情報取得部２３は、受信部２０において、無線制御装置ＲＮＣから受信した、移動端末ＵＥが在圏している３Ｇマクロセルに対応する位置登録エリアの識別情報であるＬＡＣを含む制御信号から、該制御信号に含まれるＬＡＣを取得する。そして、取得したＬＡＣを優先周波数判別情報設定部２５に出力する。
【００５５】
交換機ＭＭＥの端末仕様情報取得部２４は、ＴＡＣを含む制御信号の受信後に実施される移動端末ＵＥに対する認証及び秘匿処理において、受信部２０で無線基地局ｅＮＢから受信した制御信号から、該制御信号に含まれるＩＭＥＩを取得する。そして、送信部２７を介して、加入者情報サーバＨＳＳに、取得したＩＭＥＩで特定される移動端末ＵＥの仕様情報を取得するための取得要求を含む制御信号を送信するように構成されている。
【００５６】
また、交換機ＳＧＳＮの端末仕様情報取得部２４は、ＬＡＣを含む制御信号の受信後に実施される移動端末ＵＥに対する認証及び秘匿処理において、受信部２０でＲＮＣから受信した制御信号から、該制御信号に含まれるＩＭＥＩを取得する。そして、送信部２７を介して、加入者情報サーバＨＳＳに、取得したＩＭＥＩで特定される移動端末ＵＥの仕様情報を取得するための取得要求を含む制御信号を送信するように構成されている。
【００５７】
交換機ＭＭＥ及び交換機ＳＧＳＮの端末仕様情報取得部２４は、受信部２０において、加入者情報サーバＨＳＳから受信した端末仕様情報を含む制御信号から、該制御信号に含まれる端末仕様情報を取得する。そして、取得した端末仕様情報を優先周波数判別情報設定部２５に出力するように構成されている。
交換機ＭＭＥ及び交換機ＳＧＳＮの優先周波数判別情報設定部２５は、端末仕様情報を取得後に、該端末仕様情報に基づきＳＰＩＤの導出処理を実施する。具体的に、交換機ＭＭＥ及び交換機ＳＧＳＮの優先周波数判別情報設定部２５は、ＳＰＩＤ管理部２６から、該ＳＰＩＤ管理部２６で管理されているデータテーブルから端末仕様情報に対応する優先して在圏すべき通信方式に対して予め設定されているＳＰＩＤの値を取得する。
ここで、図５は、本実施形態に係るＳＰＩＤの値と移動端末ＵＥが優先して在圏すべき通信方式（優先ＲＡＴ（Radio Access Technology）とも言う）との対応関係を示すデータテーブルの一例を示す図である。
【００５８】
図５に示すように、ＳＰＩＤの値は、「１」が３Ｇ優先（３Ｇ＞ＬＴＥ）に対応し、「２」がＬＴＥ優先（ＬＴＥ＞３Ｇ）に対応する。具体的に、「１」は、移動端末ＵＥが優先して在圏すべきセルが３Ｇ方式（本実施形態では、Ｗ−ＣＤＭＡ方式）のセルであることを示す。また、「２」は、移動端末ＵＥが優先して在圏すべきセルがＬＴＥ方式のセルであることを示す。
【００５９】
図５に示すように、ＳＰＩＤの値は、更に、「３」が、ＬＴＥ  Ｆｅｍｔｏ→３Ｇ→ＬＴＥマクロに対応し、「４」が、ＬＴＥＦｅｍｔｏ→ＬＴＥマクロ→３Ｇに対応する。具体的に、「３」は、移動端末ＵＥが、最優先に在圏すべきセルがＬＴＥフェムトセルであり、次に優先して在圏すべきセルが３Ｇ方式のセルであり、その次に優先して在圏すべきセルがＬＴＥマクロセルであることを示す。また、「４」は、移動端末ＵＥが、最優先に在圏すべきセルがＬＴＥフェムトセルであり、次に優先して在圏すべきセルがＬＴＥマクロセルであり、その次に優先して在圏すべきセルが３Ｇ方式のセルであることを示す。
本実施形態において、交換機ＭＭＥ及び交換機ＳＧＳＮの優先周波数判別情報設定部２５は、端末仕様情報に対応するＳＰＩＤの値を、ＳＰＩＤ管理部２６を介して、図５に示すデータテーブルから取得する。
【００６０】
また、本実施形態において、移動端末ＵＥの端末仕様情報から導出するＳＰＩＤの値は、上記「１」及び「２」となる。このように、端末仕様情報（特にＣＳＦＢの能力有無）に基づき、３Ｇ優先又はＬＴＥ優先のいずれかに対応するＳＰＩＤの値を導出する処理は従来から行われている。
交換機ＭＭＥ及び交換機ＳＧＳＮの優先周波数判別情報設定部２５は、例えば、端末仕様情報から移動端末ＵＥがＣＳＦＢ機能を有すると判定した場合は、データテーブルから、ＳＰＩＤの値として「１」を取得するように構成することが可能である。更に、交換機ＭＭＥ及び交換機ＳＧＳＮの優先周波数判別情報設定部２５は、例えば、端末仕様情報から移動端末ＵＥがＣＳＦＢ機能を有さないＬＴＥ方式に対応した端末であると判定した場合は、データテーブルから、ＳＰＩＤの値として「２」を取得するように構成することが可能である。
なお、かかる構成に限らず、交換機ＭＭＥ及び交換機ＳＧＳＮの優先周波数判別情報設定部２５は、移動端末ＵＥがＬＴＥ方式に対応していると判定した場合に、ＣＳＦＢ機能の有無にかかわらず、ＳＰＩＤの値として「２」を取得するように構成することも可能である。
【００６１】
本実施形態において、交換機ＭＭＥ及び交換機ＳＧＳＮの優先周波数判別情報設定部２５は、移動端末ＵＥがＣＳＦＢ機能を有すると判定した場合にＳＰＩＤの値として「１」を取得し、移動端末ＵＥがＣＳＦＢ機能を有さないＬＴＥ方式に対応した端末であると判定した場合にＳＰＩＤの値として「２」を取得する構成とする。
【００６２】
次に、交換機ＭＭＥ及び交換機ＳＧＳＮの優先周波数判別情報設定部２５は、加入者プロファイル管理部２２で管理されている在圏ポリシー情報を取得する。そして、交換機ＭＭＥ及び交換機ＳＧＳＮの優先周波数判別情報設定部２５は、取得した在圏ポリシー情報がＡモードであると判定すると、取得したＳＰＩＤの値「１」又は「２」をそのまま送信部２７に出力する。
【００６３】
一方、交換機ＭＭＥ及び交換機ＳＧＳＮの優先周波数判別情報設定部２５は、取得した在圏ポリシー情報がＢモードであると判定すると、取得したＳＰＩＤの値が「１」の場合は、「１」を「３」に変換し、取得したＳＰＩＤの値が「２」の場合は、「２」を「４」に変換する。そして、変換後のＳＰＩＤの値を送信部２７に出力する。
また、交換機ＭＭＥの優先周波数判別情報設定部２５は、取得した在圏ポリシー情報がＣモードであると判定すると、加入者プロファイル管理部２２で管理されている全てのＨｏｍｅＴＡＣを取得する。そして、マクロセル情報取得部２４から取得したＴＡＣとＨｏｍｅＴＡＣとが一致するか否かを判定する。この判定処理は、全てのＨｏｍｅＴＡＣに対して行われる。交換機ＭＭＥの優先周波数判別情報設定部２５は、取得したＴＡＣと一致するＨｏｍｅＴＡＣがあると判定すると、取得したＳＰＩＤの値が「１」の場合は、「１」を「３」に変換し、取得したＳＰＩＤの値が「２」の場合は、「２」を「４」に変換する。そして、変換後のＳＰＩＤの値を送信部２７に出力する。
【００６４】
また、交換機ＳＧＳＮの優先周波数判別情報設定部２５は、取得した在圏ポリシー情報がＣモードであると判定すると、加入者プロファイル管理部２２で管理されているＨｏｍｅＬＡＣを取得する。そして、マクロセル情報取得部２４から取得したＬＡＣとＨｏｍｅＬＡＣとが一致するか否かを判定する。この判定処理は、全てのＨｏｍｅＬＡＣに対して行われる。交換機ＳＧＳＮの優先周波数判別情報設定部２５は、取得したＬＡＣと一致するＨｏｍｅＬＡＣがあると判定すると、取得したＳＰＩＤの値が「１」の場合は、「１」を「３」に変換し、取得したＳＰＩＤの値が「２」の場合は、「２」を「４」に変換する。そして、変換後のＳＰＩＤの値を送信部２７に出力する。
【００６５】
交換機ＭＭＥ及び交換機ＳＧＳＮの送信部２７は、端末仕様情報取得部２４からの要求に応じて、加入者情報サーバＨＳＳに、ＩＭＥＩで特定される移動端末ＵＥの仕様情報を取得するための取得要求を含む制御信号を送信するように構成されている。
更に、交換機ＭＭＥの送信部２７は、優先周波数判別情報設定部２５から取得したＳＰＩＤの値を含む制御信号を無線基地局ｅＮＢに送信するように構成されている。具体的に、３ＧＰＰで規定されたＳ１−ＡＰの標準の制御信号のＳＰＩＤ用の標準上のフィールドに、取得したＳＰＩＤの値を設定する。本実施形態では、交換機ＭＭＥの送信部２７は、Ｓ１−ＡＰの「Ｉｎｉｔｉａｌ  Ｃｏｎｔｅｘｔ  Ｓｅｔｕｐ  Ｒｅｑｕｅｓｔ」信号のＳＰＩＤ用のフィールドに、取得したＳＰＩＤの値を設定し、該ＳＰＩＤの値を含む「Ｉｎｉｔｉａｌ  Ｃｏｎｔｅｘｔ  Ｓｅｔｕｐ  Ｒｅｑｕｅｓｔ」信号を無線基地局ｅＮＢに送信する。
【００６６】
また、交換機ＳＧＳＮの送信部２７は、優先周波数判別情報設定部２５から取得したＳＰＩＤの値を含む制御信号を無線制御装置ＩＰＲＮＣに送信するように構成されている。具体的に、３ＧＰＰで規定されたＲＡＮＡＰプロトコルの標準の制御信号のＳＰＩＤ用の標準上のフィールドに、取得したＳＰＩＤの値を設定する。本実施形態において、交換機ＳＧＳＮの送信部２７は、ＲＡＮＡＰプロトコルの「Ｃｏｍｍｏｎ  ＩＤ」信号のＳＰＩＤ用のフィールドに、取得したＳＰＩＤの値を設定し、該ＳＰＩＤの値を含む「Ｃｏｍｍｏｎ  ＩＤ」信号を無線制御装置ＲＮＣに送信する。
【００６７】
なお、本実施形態において、交換機ＭＭＥは、上記ＳＰＩＤの変換処理を、無線基地局ｅＮＢから「Ａｔｔａｃｈ  Ｒｅｑｕｅｓｔ」信号を受信時と、「Ｐｒｅｓｅｒｖａｔｉｏｎ」状態からの復帰時（無線基地局ｅＮＢからＳｅｒｖｉｃｅ  Ｒｅｑｕｅｓｔ及びＴＡＣの情報を含む「Ｉｎｉｔｉａｌ  ＵＥ  Ｍｅｓｓａｇｅ」信号を受信時）と、に行うように構成されている。
【００６８】
また、本実施形態において、交換機ＳＧＳＮは、在圏ポリシー情報に基づき導出したＳＰＩＤを変換する処理を、無線制御装置ＩＰＲＮＣからＡｔｔａｃｈ  Ｒｅｑｕｅｓｔ及びＬＡＣの情報を含む「Ｉｎｉｔｉａｌ  ＵＥ  Ｍｅｓｓａｇｅ」信号を受信時と、無線制御装置ＩＰＲＮＣからＲＡＵ  Ｒｅｑｕｅｓｔ及びＬＡＣの情報を含む「Ｉｎｉｔｉａｌ  ＵＥ  Ｍｅｓｓａｇｅ」信号を受信時と、に行うように構成されている。
【００６９】
また、図４には、交換機ＭＭＥ及び交換機ＳＧＳＮのうち本実施形態に係る構成要素のみを示している。
また、図示しないが、交換機ＭＭＥ及び交換機ＳＧＳＮは、上記各機能を、ソフトウェアを用いて実現するため、及び各機能の実現に必要なハードウェアを制御するソフトウェアを実行するためのコンピュータシステムを備えている。
【００７０】
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、交換機ＭＭＥ及び交換機ＳＧＳＮは、入出力Ｉ／Ｆを介して接続された、記憶装置、表示装置、入力装置、及び通信装置を備えている。
【００７１】
（１−４）無線基地局ｅＮＢ及び無線制御装置ＩＰＲＮＣの機能構成例
次に、図６に基づき、本実施形態に係る無線基地局ｅＮＢ及び無線制御装置ＩＰＲＮＣの機能構成の一例を説明する。図６は、本実施形態に係る無線基地局ｅＮＢ及び無線制御装置ＩＰＲＮＣの機能ブロック図である。
図６に示すように、無線基地局ｅＮＢ及び無線制御装置ＩＰＲＮＣは、受信部３０と、優先周波数判別部と、サーチ周波数管理部３２と、送信部３３と、を含んで構成される。
無線基地局ｅＮＢの受信部３０は、交換機ＭＭＥからのＳＰＩＤの値が設定された「Ｉｎｉｔｉａｌ  Ｃｏｎｔｅｘｔ  Ｓｅｔｕｐ  Ｒｅｑｕｅｓｔ」信号等の各種制御信号を受信するように構成されている。
【００７２】
また、無線制御装置ＩＰＲＮＣの受信部３０は、交換機ＳＧＳＮからのＳＰＩＤの値を含む「Ｃｏｍｍｏｎ  ＩＤ」信号等の各種制御信号を受信するように構成されている。
無線基地局ｅＮＢの優先周波数判別部３１は、受信部３０で受信した「Ｉｎｉｔｉａｌ  Ｃｏｎｔｅｘｔ  Ｓｅｔｕｐ  Ｒｅｑｕｅｓｔ」信号に含まれるＳＰＩＤの値に基づき、移動端末ＵＥが優先して在圏すべき通信方式のセルの周波数帯域（以下、優先周波数帯域と称す）を判別するように構成されている。
【００７３】
また、無線制御装置ＩＰＲＮＣの優先周波数判別部３１は、受信部３０で受信した「Ｃｏｍｍｏｎ  ＩＤ」信号に含まれるＳＰＩＤの値に基づき、優先周波数帯域を判別するように構成されている。
具体的に、無線基地局ｅＮＢ及び無線制御装置ＩＰＲＮＣの優先周波数判別部３１は、ＳＰＩＤの値が「１」であると判定すると、優先周波数帯域が、３Ｇ方式のセルの周波数帯域であると判別するように構成されている。
【００７４】
また、無線基地局ｅＮＢ及び無線制御装置ＩＰＲＮＣの優先周波数判別部３１は、ＳＰＩＤの値が「２」であると判定すると、優先周波数帯域が、ＬＴＥ方式のセルの周波数帯域であると判別するように構成されている。
また、無線基地局ｅＮＢ及び無線制御装置ＩＰＲＮＣの優先周波数判別部３１は、ＳＰＩＤの値が「３」であると判定すると、優先周波数帯域が、優先度の高い順に、ＬＴＥフェムトセルの周波数帯域→３Ｇ方式のセルの周波数帯域→ＬＴＥマクロセルの周波数帯域であると判別するように構成されている。
【００７５】
また、無線基地局ｅＮＢ及び無線制御装置ＩＰＲＮＣの優先周波数判別部３１は、ＳＰＩＤの値が「４」であると判定すると、優先周波数帯域が、優先度の高い順に、ＬＴＥフェムトセルの周波数帯域→ＬＴＥマクロセルの周波数帯域→３Ｇ方式のセルの周波数帯域であると判別するように構成されている。
無線基地局ｅＮＢ及び無線制御装置ＩＰＲＮＣの優先周波数判別部３１は、判別した優先周波数帯域に対応する周波数帯域の情報（以下、優先周波数帯域情報と称す）を、サーチ周波数管理部３２から取得して、取得した優先周波数帯域情報を送信部３３に出力する。
【００７６】
無線基地局ｅＮＢ及び無線制御装置ＩＰＲＮＣのサーチ周波数管理部３２は、３Ｇマクロセルの周波数帯域、ＬＴＥマクロセルの周波数帯域、ＬＴＥフェムトセルの周波数帯域、及び３Ｇフェムトセルの周波数帯域の情報を管理するように構成されている。具体的に、無線基地局ｅＮＢ及び無線制御装置ＩＰＲＮＣのサーチ周波数管理部３２は、各種周波数帯域の情報を不図示の記憶装置に記憶保持し、優先周波数判別部３１からの要求に応じて、必要な周波数帯域の情報を記憶装置から読み出して、優先周波数判別部３１に出力するように構成されている。
【００７７】
無線基地局ｅＮＢ及び無線制御装置ＩＰＲＮＣの送信部３３は、移動端末ＵＥに対して各種制御信号を送信するように構成されている。本実施形態の無線基地局ｅＮＢ及び無線制御装置ＩＰＲＮＣの送信部３３は、優先周波数判別部３１から優先周波数帯域情報を取得すると、優先周波数帯域情報を含む制御信号であるサーチ周波数指定信号を移動端末ＵＥに送信するように構成されている。なお、本実施形態の無線基地局ｅＮＢ及び無線制御装置ＩＰＲＮＣの送信部３３は、サーチ周波数指定信号を、移動端末ＵＥが待ち受け状態に移行（Ｉｄｌｅ状態に遷移）するタイミングで該移動端末ＵＥに送信するように構成されている。
ここで、図７は、送信部３３がサーチ周波数指定信号を送信するタイミングの一例を示す図である。
【００７８】
なお、本実施形態では、図７中で「○」となっている箇所のＩｄｌｅ遷移のタイミングでサーチ周波数指定信号を送信し、図７中で「×」となっている箇所のＩｄｌｅ遷移のタイミングではサーチ周波数指定信号を送信しない構成となっている。
図７に示すように、無線基地局ｅＮＢの送信部３３は、Ａｔｔａｃｈ処理後にＩｄｌｅ状態に遷移するタイミングと、Ｐｒｅｓｅｒｖａｔｉｏｎ状態からの復帰処理後にＩｄｌｅ状態に遷移するタイミングとにおいてサーチ周波数指定信号を送信する構成となっている。
【００７９】
また、図７に示すように、無線制御装置ＩＰＲＮＣの送信部３３は、ＲＡＵ処理後にＩｄｌｅ状態に遷移するタイミングと、Ａｔｔａｃｈ処理後にＩｄｌｅ状態に遷移するタイミングとにおいてサーチ周波数指定信号を送信する構成となっている。
ここで、Ａｔｔａｃｈ処理は、移動端末ＵＥの電源投入後等に行われる位置登録処理である。また、Ｐｒｅｓｅｒｖａｔｉｏｎ状態とは、移動端末ＵＥがパケット接続状態において無通信状態が一定時間以上継続した場合に、無線区間のコネクションのみを解放し、移動端末ＵＥとコアネットワーク側とでパケット接続状態を論理的に維持する状態である。また、ＲＡＵ処理とは、電源投入状態の移動端末ＵＥが現在とは異なる位置登録エリアの３Ｇマクロセルに移動等したときに行われる位置登録更新処理である。また、ＴＡＵ処理とは、電源投入状態の移動端末ＵＥが現在とは異なる交換機ＭＭＥの管理下にあるＬＴＥマクロセルに移動等したときに行われる位置登録更新処理である。
【００８０】
具体的に、ＬＴＥ方式の通信網においては、Ａｔｔａｃｈ処理及びＰｒｅｓｅｒｖａｔｉｏｎ状態からの復帰処理において、交換機ＭＭＥから無線基地局ｅＮＢに、「Ｉｎｉｔｉａｌ  Ｃｏｎｔｅｘｔ  Ｓｅｔｕｐ  Ｒｅｑｕｅｓｔ」信号を送信する処理が発生する。従って、これらの処理が実行されることによって、無線基地局ｅＮＢは、ＳＰＩＤを取得することが可能である。そのため、本実施形態では、無線基地局ｅＮＢの送信部３３は、Ａｔｔａｃｈ処理後及びＰｒｅｓｅｒｖａｔｉｏｎ状態からの復帰処理後のＩｄｌｅ遷移のタイミングで、上記変換処理後のＳＰＩＤに対応する優先周波数帯域情報を含むサーチ周波数指定信号を移動端末ＵＥに送信するように構成されている。
【００８１】
一方、ＬＴＥ方式の通信網において、ＴＡＵ処理、ハンドオーバー（ＨＯ）で位置登録エリアを跨る処理、カスコンサーバを介して在圏ポリシー情報を変更する処理では、交換機ＭＭＥから無線基地局ｅＮＢに、「Ｉｎｉｔｉａｌ  Ｃｏｎｔｅｘｔ  Ｓｅｔｕｐ  Ｒｅｑｕｅｓｔ」信号を送信する処理が発生しない。従って、これらの処理が実行されても、無線基地局ｅＮＢは、ＳＰＩＤを取得することができない。そのため、本実施形態では、無線基地局ｅＮＢの送信部３３は、ＴＡＵ処理後、ハンドオーバーで位置登録エリアを跨る処理後、及びカスコンサーバを介して在圏ポリシー情報を変更する処理後のＩｄｌｅ遷移のタイミングでは、上記変換処理後のＳＰＩＤに対応する優先周波数帯域情報を含むサーチ周波数指定信号を移動端末ＵＥに送信する処理を実施しないように構成されている。
【００８２】
また、３Ｇ方式の通信網においては、Ａｔｔａｃｈ処理及びＲＡＵ処理において、交換機ＳＧＳＮから無線制御装置ＩＰＲＮＣに、「Ｃｏｍｍｏｎ  ＩＤ」信号を送信する処理が発生する。従って、これらの処理が実行されることによって、無線制御装置ＩＰＲＮＣは、ＳＰＩＤを取得することが可能である。そのため、本実施形態では、無線制御装置ＩＰＲＮＣの送信部３３は、Ａｔｔａｃｈ処理後及びＲＡＵ処理後のＩｄｌｅ遷移のタイミングで、上記変換処理後のＳＰＩＤに対応する優先周波数帯域情報を含むサーチ周波数指定信号を移動端末ＵＥに送信するように構成されている。
【００８３】
一方、３Ｇ方式の通信網において、Ｐｒｅｓｅｒｖａｔｉｏｎ状態からの復帰処理においては、交換機ＳＧＳＮから無線制御装置ＩＰＲＮＣに、「Ｃｏｍｍｏｎ  ＩＤ」信号を送信する処理が発生する。しかし、Ｐｒｅｓｅｒｖａｔｉｏｎ状態からの復帰処理が行われる前に、必ずＴＡＵ処理が実施される。そのため、本実施形態では、無線制御装置ＩＰＲＮＣの送信部３３は、Ｐｒｅｓｅｒｖａｔｉｏｎ状態からの復帰処理後のＩｄｌｅ遷移のタイミングにおいて、上記変換処理後のＳＰＩＤに対応する優先周波数帯域情報を含むサーチ周波数指定信号を移動端末ＵＥに送信する処理を実施しないように構成されている。なお、この構成に限らず、上記変換処理後のＳＰＩＤに対応する優先周波数帯域情報を含むサーチ周波数指定信号を移動端末ＵＥに送信する処理を実施するように構成してもよい。
【００８４】
また、３Ｇ方式の通信網において、ハンドオーバーで位置登録エリアを跨る処理、カスコンサーバを介して在圏ポリシー情報を変更する処理において、交換機ＳＧＳＮから無線制御装置ＩＰＲＮＣに、「Ｃｏｍｍｏｎ  ＩＤ」信号を送信する処理が発生しない。従って、これらの処理において、無線制御装置ＩＰＲＮＣは、ＳＰＩＤを取得することができない。そのため、本実施形態では、無線制御装置ＩＰＲＮＣの送信部３３は、ハンドオーバーで位置登録エリアを跨る処理後及びカスコンサーバを介して在圏ポリシー情報を変更する処理後のＩｄｌｅ遷移のタイミングでは、上記変換処理後のＳＰＩＤに対応する優先周波数帯域情報を含むサーチ周波数指定信号を移動端末ＵＥに送信する処理を実施しないように構成されている。
【００８５】
ここで、移動端末ＵＥが待ち受け状態に移行するときには、必ずＲＲＣコネクションを解放する処理が行われることになる。そのため、本実施形態では、ＲＲＣコネクションの解放信号である「ＲＲＣ  Ｃｏｎｎｅｃｔｉｏｎ  Ｒｅｌｅａｃｅ」信号を移動端末ＵＥに送信するタイミングで、優先周波数帯域情報と各通信方式及びセル種別に対応する周波数帯域の優先度を示す情報（以下、優先度情報と称す）とを含む制御信号を送信する。
【００８６】
具体的に、無線基地局ｅＮＢ及び無線制御装置ＩＰＲＮＣの送信部３３は、「ＲＲＣ  Ｃｏｎｎｅｃｔｉｏｎ  Ｒｅｌｅａｃｅ」信号のデータフィールドである「idle Mode Mobility Control Info」に優先周波数帯域情報及び優先度情報（Cell Reselection Priority）を設定する。そして、該設定後の「ＲＲＣ  Ｃｏｎｎｅｃｔｉｏｎ  Ｒｅｌｅａｃｅ」信号をサーチ周波数指定信号として移動端末ＵＥに送信するように構成されている。
【００８７】
優先度情報は、例えば、ＳＰＩＤの値が「３」及び「４」の場合は、優先周波数帯域情報に対してそれぞれ３段階の優先度を設定した情報となる。つまり、ＳＰＩＤの値が「３」の場合は、ＬＴＥフェムトセルの周波数帯域を最も高い優先度に、３Ｇ方式のセルの周波数帯域を次に高い優先度に、ＬＴＥマクロセルの周波数帯域を最も低い優先度に設定する。一方、ＳＰＩＤの値が「４」の場合は、ＬＴＥフェムトセルの周波数帯域を最も高い優先度に、ＬＴＥマクロセルの周波数帯域を次に高い優先度に、３Ｇ方式のセルの周波数帯域を最も低い優先度に設定する。
なお、図６には、無線基地局ｅＮＢ及び無線制御装置ＩＰＲＮＣのうち本実施形態に係る構成要素のみを示している。
【００８８】
また、図示しないが、無線基地局ｅＮＢ及び無線制御装置ＩＰＲＮＣは、上記各機能を、ソフトウェアを用いて実現するため、及び各機能の実現に必要なハードウェアを制御するソフトウェアを実行するためのコンピュータシステムを備えている。
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、無線基地局ｅＮＢ及び無線制御装置ＩＰＲＮＣは、入出力Ｉ／Ｆを介して接続された、記憶装置、表示装置、入力装置、及び通信装置を備えている。
【００８９】
（１−５）移動端末ＵＥの機能構成例
次に、図８に基づき、本実施形態に係る移動端末ＵＥの機能構成の一例を説明する。図８は、本実施形態に係るＣＳＦＢ機能を有する移動端末ＵＥの機能ブロック図である。
図８に示すように、移動端末ＵＥは、受信部４０と、セルサーチ部４１と、サーチ周波数管理部４２と、特番発信部４３と、在圏ポリシー設定部４４と、送信部４５と、を含んで構成されている。
受信部４０は、無線基地局ｅＮＢ、フェムト無線基地局ＨｅＮＢ、マクロＢＴＳ及びフェムトＢＴＳからの各種制御信号を受信するように構成されている。本実施形態において、受信部４０は、無線基地局ｅＮＢ及びマクロＢＴＳ（無線制御装置ＩＰＲＮＣ）からのサーチ周波数指定信号（本実施形態では、「ＲＲＣ  Ｃｏｎｎｅｃｔｉｏｎ  Ｒｅｌｅａｃｅ」信号）を受信するように構成されている。
【００９０】
セルサーチ部４１は、サーチ周波数情報管理部４２で管理されている優先周波数帯域情報及び優先度情報に基づき、セルサーチを行うように構成されている。移動端末ＵＥは、セルサーチによって、対応するセルが見つかったと判定すると、見つかったセルのうち最も接続条件の良いセル（例えば、伝搬ロスが最小のセル）へと遷移（在圏移動）するように構成されている。
【００９１】
セルサーチ部４１は、優先周波数帯域情報及び優先度情報として、ＳＰＩＤの値「３」又は「４」に対応する情報を取得した場合、現在在圏しているマクロセルにおいて、ＬＴＥフェムトセルを最優先してサーチする。このセルサーチは、優先周波数帯域情報に含まれるＬＴＥフェムトセルに対応する全ての周波数帯域に対して行われる。このセルサーチによって、ＬＴＥフェムトセルが見つかったと判定すると、移動端末ＵＥは、現在在圏しているマクロセルとの接続を切断し、見つかったＬＴＥフェムトセルへと在圏移動する。なお、セルサーチ部４１は、ＬＴＥフェムトセルが見つからなかった場合、対応するＳＰＩＤの値に応じて以下のセルサーチ処理を実行する。
【００９２】
セルサーチ部４１は、ＬＴＥフェムトセルが見つからなかった場合、サーチ周波数情報管理部４２で管理されている優先周波数帯域情報及び優先度情報が、ＳＰＩＤの値「３」に対応する情報であれば、次に、３Ｇ方式のセルの周波数帯域情報（例えば、周辺３Ｇマクロセルの拡散コード等）に基づき３Ｇ方式のセルをサーチする。セルサーチ部４１は、このセルサーチによって３Ｇ方式のセルが見つからなかったと判定すると、次に、ＬＴＥマクロセルの周波数帯域情報（例えば、周辺ＬＴＥマクロセルの拡散コード等）に基づき、ＬＴＥマクロセルをサーチする。
【００９３】
一方、セルサーチ部４１は、ＬＴＥフェムトセルが見つからなかった場合、サーチ周波数情報管理部４２で管理されている優先周波数帯域情報が、ＳＰＩＤの値「４」に対応する情報であれば、次に、ＬＴＥマクロセルの周波数帯域情報に基づきＬＴＥマクロセルをサーチする。セルサーチ部４１は、このセルサーチによってＬＴＥマクロセルが見つからなかったと判定すると、次に、３Ｇ方式のセルの周波数帯域情報に基づき、３Ｇ方式のセルをサーチする。
なお、セルサーチ部４１は、サーチ周波数情報管理部４２で管理されている優先周波数帯域情報及び優先度情報が、ＳＰＩＤの値「１」に対応する情報であると判定すると、３Ｇ方式のセルを優先してサーチする。また、セルサーチ部４１は、３Ｇ方式のセルが見つからなかった場合は、次に、ＬＴＥ方式のセルをサーチする。
【００９４】
一方、セルサーチ部４１は、サーチ周波数情報管理部４２で管理されている優先周波数帯域情報が、ＳＰＩＤの値「２」に対応する情報であると判定すると、ＬＴＥ方式のセルを優先してサーチする。また、セルサーチ部４１は、ＬＴＥ方式のセルが見つからなかった場合は、次に、３Ｇ方式のセルをサーチする。
サーチ周波数情報管理部４２は、受信部４０で受信したサーチ周波数指定信号に含まれる優先周波数帯域情報及び優先度情報を管理するように構成されている。具体的に、サーチ周波数情報管理部４２は、サーチ周波数指定信号に含まれる優先周波数帯域情報を不図示の記憶装置に記憶保持する。そして、セルサーチ部４１からの取得要求に応じて、記憶装置から優先周波数帯域情報及び優先度情報を読み出し、読み出した優先周波数帯域情報及び優先度情報をセルサーチ部４０に出力するように構成されている。
【００９５】
また、サーチ周波数情報管理部４２は、受信部４０において、サーチ周波数指定信号が受信される毎に、記憶装置に記憶保持された優先周波数帯域情報及び優先度情報を、新たに受信したサーチ周波数指定信号に含まれる優先周波数情報及び優先度情報に更新するように構成されている。
特番発信部４３は、不図示の操作部を介してユーザに入力された特定番号の発信、又はユーザの不図示の操作部を介したメニュー操作による特定番号の発信を行うように構成されている。
【００９６】
在圏ポリシー設定部４４は、ユーザの不図示の操作部を介したメニュー操作に応じて、図３に示す３つのモード（Ａ，Ｂ，Ｃ）の中からユーザの選択したモードの情報を含む制御信号である在圏ポリシー設定信号を、送信部４５を介してカスコンサーバに送信するように構成されている。これにより、カスコンサーバを介して加入者情報サーバＨＳＳの加入者プロファイルに含まれる在圏ポリシー情報が更新される。なお、在圏ポリシー情報の初期値は、例えば、Ａ〜Ｃのモードのうち通信事業者が任意のモードを設定することが可能である。
【００９７】
送信部４５は、無線基地局ｅＮＢ、フェムト無線基地局ＨｅＮＢ、マクロＢＴＳ及びフェムトＢＴＳに対して、各種制御信号を送信する。本実施形態では、送信部４５は、特定番号を含む制御信号や、在圏ポリシー情報を含む制御信号等を送信するように構成されている。
なお、図示しないが、移動端末ＵＥは、上記各機能を、ソフトウェアを用いて実現するため、及び各機能の実現に必要なハードウェアを制御するソフトウェアを実行するためのコンピュータシステムを備えている。
【００９８】
かかるコンピュータシステムは、ＣＰＵ（Central Processing Unit）と、ＲＡＭ（Random Access Memory）と、ＲＯＭ（Read Only Memory）と、入出力インターフェース（Ｉ／Ｆ）と、バスとを含んで構成される。ＣＰＵ、ＲＡＭ、ＲＯＭおよび入出力Ｉ／Ｆは、バスに接続されており、バスを介してこれら接続デバイス間のデータの送受信を可能としている。また、図示しないが、移動端末ＵＥは、入出力Ｉ／Ｆを介して接続された、記憶装置、表示装置、入力装置、及び通信装置を備えている。
また、ＣＳＦＢ機能を有する移動端末ＵＥを例に挙げて構成を説明したが、本実施形態の移動通信システム１では、ＣＳＦＢ機能を有する移動端末に加えて、ＬＴＥ方式のみ対応の移動端末も混在する。
【００９９】
（２）フェムトセルへの初期在圏方法について
次に、図９に基づき、本実施形態における移動端末ＵＥのフェムトセルへの初期在圏方法の一例を説明する。図９（ａ）は、在圏ポリシー情報をＢモードに設定した場合の初期在圏方法の例を示す図であり、（ｂ）は、特番発信による初期在圏方法の一例を示す図である。
第１の初期在圏方法として、在圏ポリシーをＢモードに設定する方法がある。
在圏ポリシー情報がＢモードに設定されていると、上記説明したように、フェムトセルへの在圏履歴に関係なく、ＬＴＥフェムトセルを最優先でサーチすることになる。従って、図９（ａ）に示すように、現在在圏している３Ｇマクロセル又はＬＴＥマクロセルにおいて、在圏可能なＬＴＥフェムトセルが存在すると、移動端末ＵＥは、このフェムトセルを優先的に見つけ出して在圏移動する。これにより、交換機ＭＭＥ又は交換機ＳＧＳＮを介して、加入者情報サーバＨＳＳへと在圏したＬＴＥフェムトセルをカバーする３ＧマクロセルのＨｏｍｅＬＡＣ及びＬＴＥマクロセルのＨｏｍｅＴＡＣが送信される。そして、加入者情報サーバＨＳＳにおいて、在圏したＬＴＥフェムトセルをカバーする３Ｇマクロセル及びＬＴＥマクロセルのＨｏｍｅＬＡＣ及びＨｏｍｅＴＡＣが記憶される。
【０１００】
また、第２の初期在圏方法として、デュアルフェムトの利用登録をしているＣＳＦＢ機能を有する移動端末ＵＥから特番発信を行う方法（既存機能）がある。
この場合、移動端末ＵＥが、ＬＴＥマクロセルに在圏していると、図９（ｂ）に示すように、（１）メニュー操作に応じて特番発信を行う前にＣＳＦＢ機能によってＬＴＥマクロセルから３Ｇマクロセルへと在圏移動する。その後、（２）３Ｇマクロセルに在圏した状態で特番発信が行われ、特番発信による３Ｇフェムトセルへの誘導が行われる。これにより、移動端末ＵＥが３Ｇマクロセルから３Ｇフェムトセルへと在圏移動する。図９（ｂ）の例では、フェムト無線基地局ＨｅＮＢによって、３Ｇフェムトセル及びＬＴＥフェムトセルが形成されている。従って、この場合は、交換機ＳＧＳＮを介して、加入者情報サーバＨＳＳへと、在圏した３Ｇフェムトセルをカバーする３ＧマクロセルのＨｏｍｅＬＡＣ及びＬＴＥマクロセルのＨｏｍｅＴＡＣが送信される。そして、加入者情報サーバＨＳＳにおいて、在圏した３Ｇフェムトセルをカバーする３Ｇマクロセル及びＬＴＥマクロセルのＨｏｍｅＬＡＣ及びＨｏｍｅＴＡＣが記憶される。
なお、図示しないが、第３の初期在圏方法として、電波強度に応じた誘導による方法（既存機能）もある。
【０１０１】
具体的に、移動端末ＵＥの在圏しているマクロセルの電波強度よりも、通信可能な範囲内にあるフェムトセルの電波強度の方が大きい場合にもフェムトセルへの誘導が行われる。従って、例えば、在圏ポリシー情報がＣモードに設定されていると、電波強度によってフェムトセルへと在圏移動した場合に、交換機ＭＭＥ又は交換機ＳＧＳＮを介して、加入者情報サーバＨＳＳへと在圏したフェムトセルをカバーする３ＧマクロセルのＨｏｍｅＬＡＣ及びＬＴＥマクロセルのＨｏｍｅＴＡＣが送信される。そして、加入者情報サーバＨＳＳにおいて、在圏したフェムトセルをカバーする３Ｇマクロセル及びＬＴＥマクロセルのＨｏｍｅＬＡＣ及びＨｏｍｅＴＡＣが記憶される。
【０１０２】
（３）Ｃモードの優先発動対象の位置登録エリア情報の記憶処理について
次に、図１０に基づき、Ｃモードの優先発動対象となる在圏したＬＴＥフェムトセルをカバーするマクロセルの位置登録エリアの情報を記憶する処理の一例を説明する。図１０は、位置登録エリアの情報を記憶する処理の一例を示す図である。
図１０に示すように、移動端末ＵＥが、例えば、位置登録エリア＃Ａに属するマクロセル＃Ａと、位置登録エリア＃Ｂに属するマクロセル＃Ｂと、位置登録エリア＃Ｃに属するマクロセル＃Ｃと、をこの順番に移動したとする。図９に示すように、マクロセル＃Ａのエリア内にはＬＴＥフェムトセルは無く、マクロセル＃Ｂ及び＃Ｃのエリア内にはそれぞれＬＴＥフェムトセルＦＣ＃Ｂ及びＬＴＥフェムトセルＦＣ＃Ｃが存在する。また、移動端末ＵＥは、過去に１度もＬＴＥフェムトセルに在圏したことが無く、在圏ポリシー情報はＢモードに設定されているとする。
【０１０３】
まず、移動端末ＵＥが、図１０の（１）に示すように、マクロセル＃Ａに在圏したとする。在圏ポリシー情報としてＢモードが設定されているため、ＬＴＥフェムトセルの優先サーチが実施される。しかし、マクロセル＃ＡのカバーするＬＴＥフェムトセルが存在しないため、マクロセル＃Ａの位置登録エリアの情報（ＴＡＣ又はＬＡＣ）はＣモードの優先発動対象として記憶されない。
【０１０４】
次に、図１０の（２）に示すように、移動端末ＵＥが移動して、マクロセル＃Ｂに在圏したとする。ここでもＬＴＥフェムトセルの優先サーチは実施されるが、図９の（２）の位置は、ＬＴＥフェムトセルＦＣ＃Ｂの範囲外であるため、マクロセル＃Ｂの位置登録エリアの情報はＣモードの優先発動対象として記憶されない。
次に、図１０の（３）に示すように、移動端末ＵＥがマクロセル＃Ｂ内を移動して、ＬＴＥフェムトセルＦＣ＃Ｂの範囲内に進入したとする。この場合は、ＬＴＥフェムトセルの優先サーチが実施され、移動端末ＵＥは、ＬＴＥフェムトセルＦＣ＃Ｂに在圏する。これにより、マクロセル＃Ｂの位置登録エリアの情報がＣモードの優先発動対象として記憶される。
【０１０５】
次に、図１０の（４）に示すように、移動端末ＵＥが移動して、マクロセル＃Ｃに在圏したとする。ここでもＬＴＥフェムトセルの優先サーチは実施されるが、図１０の（４）の位置は、ＬＴＥフェムトセルＦＣ＃Ｃの範囲外であるため、マクロセル＃Ｃの位置登録エリアの情報はＣモードの優先発動対象として記憶されない。従って、優先発動対象として現在記憶されている位置登録エリアの情報は、マクロセル＃Ｂのものだけとなる。
【０１０６】
次に、図１０の（５）に示すように、移動端末ＵＥがマクロセル＃Ｃ内を移動して、ＬＴＥフェムトセルＦＣ＃Ｃの範囲内に進入したとする。この場合は、ＬＴＥフェムトセルの優先サーチが実施され、移動端末ＵＥは、ＬＴＥフェムトセルＦＣ＃Ｃに在圏する。これにより、マクロセル＃Ｃの位置登録エリアの情報がＣモードの優先発動対象として記憶される。これにより、優先発動対象として現在記憶されている位置登録エリアの情報は、マクロセル＃Ｂ及び＃Ｃのものとなる。
以降は、在圏ポリシー情報をＣモードに変更することで、移動端末ＵＥが、優先発動対象の位置登録エリアに属するマクロセル＃Ｂ又はマクロセル＃Ｃに在圏することで、ＬＴＥフェムトセルの優先サーチが行われる。一方、優先発動対象の位置登録エリアに属さないマクロセル＃Ａでは、ＬＴＥフェムトセルの優先サーチは行われない。
【０１０７】
（４）移動通信システム１の動作例
次に、図１１〜図１３に基づき、本実施形態の移動通信システム１の動作例を説明する。
ここで、図１１は、本実施形態の第１の動作例に係る移動通信システム１の動作を示すシーケンス図である。図１２は、ＳＰＩＤ変換処理の処理手順の一例を示すフローチャートである。図１３は、本実施形態の第２の動作例に係る移動通信システム１の動作を示すシーケンス図である。
【０１０８】
まず、図１１に基づき、本実施形態の移動通信システム１の第１の動作例を説明する。第１の動作例は、ＬＴＥ方式の通信網におけるＰｒｅｓｅｒｖａｔｉｏｎ状態からの復帰時の動作となる。なお、交換機ＭＭＥは、事前のＡｔｔａｃｈ処理において、既に、加入者情報サーバＨＳＳから加入者プロファイルを取得している状態とする。
【０１０９】
図１１に示すように、まず、移動端末ＵＥ、無線基地局ｅＮＢ及び交換機ＭＭＥとの間で、ＲＲＣコネクションの設定処理が実施される（ステップＳ１０００）。その後、ＲＲＣコネクションが確立されると、無線基地局ｅＮＢから交換機ＭＭＥに、Ｓ１−ＡＰの制御信号である、Ｓｅｒｖｉｃｅ  Ｒｅｑｕｅｓｔ及びＴＡＣの情報を含む「Ｉｎｉｔｉａｌ  ＵＥ  Ｍｅｓｓａｇｅ」信号が送信される（ステップＳ１００２）。これにより、交換機ＭＭＥは、移動端末ＵＥが在圏しているＬＴＥマクロセルの位置登録エリアの情報であるＴＡＣを取得する。次に、移動端末ＵＥ、無線基地局ｅＮＢ及び交換機ＭＭＥとの間で、移動端末ＵＥに対する認証処理及び秘匿処理が実行される（ステップＳ１００４）。その後、移動端末ＵＥが認証されると、交換機ＭＭＥにおいて、ＳＰＩＤの導出処理が実行される（ステップＳ１００６）。具体的に、交換機ＭＭＥは、端末仕様情報取得部２４において、認証処理時に移動端末ＵＥから取得したＩＭＥＩを利用して、加入者情報サーバＨＳＳからＩＭＥＩで特定される移動端末ＵＥの端末仕様情報を取得する。そして、優先周波数判別情報設定部２５において、取得した端末仕様情報に基づき、移動端末ＵＥがＣＳＦＢ機能を有しているか否かを判定する。そして、ＣＳＦＢ機能を有していると判定すると、ＳＰＩＤ管理部からＳＰＩＤの値として「１」を取得する。一方、ＣＳＦＢ機能を有していないと判定すると、ＳＰＩＤ管理部からＳＰＩＤの値として「２」を取得する。
このようにして、ＳＰＩＤが導出されると、交換機ＭＭＥは、次に、加入者プロファイル管理部２２で管理されている加入者プロファイルに含まれる在圏ポリシー情報に基づき、ＳＰＩＤ変換処理を実行する（ステップＳ１００８）。
【０１１０】
以下、図１２に基づき、交換機ＭＭＥの優先周波数判別情報設定部２５におけるＳＰＩＤ変換処理の動作を説明する。
図１２に示すように、交換機ＭＭＥの優先周波数判別情報設定部２５は、ＳＰＩＤを導出すると、まず、加入者プロファイル管理部２２を介して、在圏ポリシー情報を取得する（ステップＳ１００）。次に、交換機ＭＭＥの優先周波数判別情報設定部２５は、在圏ポリシー情報に基づきＡモードが設定されているか否かを判定する（ステップＳ１０２）。ここで、Ａモードが設定されていると判定した場合（ステップＳ１０２のYes）は、導出されたＳＰＩＤの値をそのまま送信部２７に出力する（ステップＳ１０４）。その後、一連の処理を終了して元の処理に復帰する。
【０１１１】
一方、交換機ＭＭＥの優先周波数判別情報設定部２５は、Ａモードでは無く（Ｓ１０２のNo）、Ｂモードが設定されていると判定した場合（ステップＳ１０６のYes）は、次に、導出されたＳＰＩＤの値が「１」であるか否かを判定する（ステップＳ１０８）。これにより、導出されたＳＰＩＤの値が「１」であると判定すると（ステップＳ１０８のYes）、交換機ＭＭＥの優先周波数判別情報設定部２５は、ＳＰＩＤの値「１」を「３」に変換する（ステップＳ１１０）。そして、変換後のＳＰＩＤの値「３」を送信部２７に出力する（ステップＳ１１２）。その後、一連の処理を終了して元の処理に復帰する。また、導出されたＳＰＩＤの値が「１」では無く「２」であると判定すると（ステップＳ１０８のNo）、交換機ＭＭＥの優先周波数判別情報設定部２５は、ＳＰＩＤの値「２」を「４」に変換する（ステップＳ１１４）。そして、変換後のＳＰＩＤの値「４」を送信部２７に出力する（ステップＳ１１６）。
【０１１２】
また、交換機ＭＭＥの優先周波数判別情報設定部２５は、Ｂモードでは無くＣモードであると判定した場合（Ｓ１０６のNo）は、次に、受信部２０で受信した「Ｉｎｉｔｉａｌ  ＵＥ  Ｍｅｓｓａｇｅ」信号に含まれるＴＡＣを取得する（ステップＳ１１８）。交換機ＭＭＥの優先周波数判別情報設定部２５は、更に、加入者プロファイル管理部２２を介して、加入者プロファイルに含まれるＨｏｍｅＴＡＣを取得する（ステップＳ１２０）。ここでは、例えば、最大４つのＨｏｍｅＴＡＣが記憶保持されることとして、４つのＨｏｍｅＴＡＣを取得したとする。交換機ＭＭＥの優先周波数判別情報設定部２５は、取得した４つのＨｏｍｅＴＡＣと、取得したＴＡＣとをそれぞれ比較する（ステップＳ１２２）。そして、交換機ＭＭＥの優先周波数判別情報設定部２５は、取得したＴＡＣと一致するＨｏｍｅＴＡＣがあるか否かを判定する（ステップＳ１２４）。これにより、一致するＨｏｍｅＴＡＣがあると判定した場合（ステップＳ１２４のYes）は、上記Ｂモードと同様の処理を実行する（ステップＳ１０８〜Ｓ１１６）。その後、一連の処理を終了して元の処理に復帰する。
【０１１３】
一方、交換機ＭＭＥの優先周波数判別情報設定部２５は、一致するＨｏｍｅＴＡＣが無いと判定した場合（ステップＳ１２４のNo）は、上記Ａモードと同様に、導出されたＳＰＩＤの値をそのまま送信部２７に出力する（ステップＳ１０４）。その後、一連の処理を終了して元の処理に復帰する。
図１１に戻って、交換機ＭＭＥは、ＳＰＩＤ変換処理が完了すると、送信部２７において、Ｓ１−ＡＰの制御信号である「Ｉｎｉｔｉａｌ  Ｃｏｎｔｅｘｔ  Ｓｅｔｕｐ  Ｒｅｑｕｅｓｔ」信号のＳＰＩＤ用のデータフィールドに変換処理後のＳＰＩＤの値を設定する。そして、ＳＰＩＤを設定後の「Ｉｎｉｔｉａｌ  Ｃｏｎｔｅｘｔ  Ｓｅｔｕｐ  Ｒｅｑｕｅｓｔ」信号を無線基地局ｅＮＢに送信する（ステップＳ１０１０）。
【０１１４】
以降は、移動端末ＵＥ、無線基地局ｅＮＢ及び交換機ＭＭＥとの間で、既存の処理が継続して実行される（ステップＳ１０１２）。
その際、無線基地局ｅＮＢは、交換機ＭＭＥから「Ｉｎｉｔｉａｌ  Ｃｏｎｔｅｘｔ  Ｓｅｔｕｐ  Ｒｅｑｕｅｓｔ」信号を受信すると、周波数判別部３１において、受信した「Ｉｎｉｔｉａｌ  Ｃｏｎｔｅｘｔ  Ｓｅｔｕｐ  Ｒｅｑｕｅｓｔ」信号に含まれるＳＰＩＤを取得する。周波数判別部３１は、取得したＳＰＩＤの値に基づき、優先周波数帯域を判別し、判別した優先周波数帯域に対応する優先周波数帯域情報及び優先度情報を、サーチ周波数管理部３２を介して取得する。周波数判別部３１は、取得した優先周波数帯域情報及び優先度情報を、送信部３３に出力する。
【０１１５】
その後、送信部３３は、ＲＲＣコネクションを解放するタイミングで、周波数判別部３１から取得した優先周波数帯域情報を含む「ＲＲＣ  Ｃｏｎｎｅｃｔｉｏｎ  Ｒｅｌｅａｃｅ」信号を移動端末ＵＥに送信する（ステップＳ１０１４）。
これにより、移動端末ＵＥは、ＳＰＩＤの値「１」に対応する周波数帯域情報を取得した場合は、３Ｇ方式のセルを優先してサーチする。また、移動端末ＵＥは、ＳＰＩＤの値「２」に対応する周波数帯域情報を取得した場合は、ＬＴＥ方式のセルを優先してサーチする。また、移動端末ＵＥは、ＳＰＩＤの値「３」に対応する周波数帯域情報を取得した場合は、ＬＴＥフェムトセルを最優先してサーチし、ＬＴＥフェムトセルが見つからなかった場合に、次に、３Ｇ方式のセルをサーチし、３Ｇ方式のセルが見つからなかった場合に、最後に、ＬＴＥマクロセルをサーチする。また、移動端末ＵＥは、ＳＰＩＤの値「４」に対応する周波数帯域情報を取得した場合は、ＬＴＥフェムトセルを最優先してサーチし、ＬＴＥフェムトセルが見つからなかった場合に、次に、ＬＴＥマクロセルをサーチし、ＬＴＥマクロセルが見つからなかった場合に、最後に、３Ｇ方式のセルをサーチする。
【０１１６】
次に、図１３に基づき、本実施形態の移動通信システム１の第２の動作例を説明する。第２の動作例は、３Ｇ方式の通信網におけるＲＡＵ処理の実行時の動作となる。図１３の例は、ＬＴＥマクロセル又は３Ｇマクロセルから位置登録エリアの異なる他の３Ｇマクロセルへと在圏移動した場合の動作例となる。
図１３に示すように、まず、移動端末ＵＥ及び無線制御装置ＩＰＲＮＣとの間で、ＲＲＣコネクションの設定処理が実施される（ステップＳ２０００）。その後、ＲＲＣコネクションが確立されると、無線制御装置ＩＰＲＮＣから在圏移動後の新しい交換機である交換機ｎｅｗＳＧＳＮに、ＲＡＮＡＰプロトコルの制御信号である、ＲＡＵ  Ｒｅｑｕｅｓｔ及びＬＡＣの情報を含む「Ｉｎｉｔｉａｌ  ＵＥ  Ｍｅｓｓａｇｅ」信号が送信される（ステップＳ２００２）。
【０１１７】
交換機ｎｅｗＳＧＳＮは、「Ｉｎｉｔｉａｌ  ＵＥ  Ｍｅｓｓａｇｅ」信号を受信すると、在圏移動する前に在圏していたマクロセルが３Ｇマクロセルである場合は、該３Ｇマクロセルに対応する交換機である交換機ｏｌｄＳＧＳＮに対して、在圏移動してきた移動端末ＵＥに対応する加入者プロファイル等の情報を取得する信号である「Ｉｄｅｎｔｉｆｉｃａｔｉｏｎ  Ｒｅｑｕｅｓｔ」信号を送信する（ステップＳ２００４）。
【０１１８】
一方、交換機ｎｅｗＳＧＳＮは、「Ｉｎｉｔｉａｌ  ＵＥ  Ｍｅｓｓａｇｅ」信号を受信すると、在圏移動する前に在圏していたマクロセルがＬＴＥマクロセルである場合は、該ＬＴＥマクロセルに対応する交換機である交換機ｏｌｄＭＭＥに対して、在圏移動してきた移動端末ＵＥに対応する加入者プロファイル等の情報を取得する信号である「Ｃｏｎｔｅｘｔ  Ｒｅｑｕｅｓｔ」信号を送信する（ステップＳ２００４）。
交換機ｏｌｄＳＧＳＮは、「Ｉｄｅｎｔｉｆｉｃａｔｉｏｎ  Ｒｅｑｕｅｓｔ」信号を受信すると、加入者プロファイル等の情報を含む「「Ｉｄｅｎｔｉｆｉｃａｔｉｏｎ  Ｒｅｓｐｏｎｓｅ」信号を交換機ｎｅｗＳＧＳＮに送信する（ステップＳ２００６）。
【０１１９】
一方、交換機ｏｌｄＭＭＥは、「Ｃｏｎｔｅｘｔ  Ｒｅｑｕｅｓｔ」信号を受信すると、加入者プロファイル等の情報を含む「Ｃｏｎｔｅｘｔ  Ｒｅｓｐｏｎｓｅ」信号を交換機ｎｅｗＳＧＳＮに送信する（ステップＳ２００６）。
これにより、交換機ｎｅｗＳＧＳＮは、交換機ｏｌｄＳＧＳＮ又は交換機ｏｌｄＭＭＥから、在圏ポリシー情報及びＨｏｍｅＬＡＣ（最大４つ）を含む加入者プロファイルを取得する。
【０１２０】
その後、移動端末ＵＥ、無線制御装置ＩＰＲＮＣ、交換機ｎｅｗＳＧＳＮ、及び交換機ｏｌｄＳＧＳＮ又は交換機ｏｌｄＭＭＥとの間で、移動端末ＵＥに対する認証処理が実行される（ステップＳ２００８）。その後、移動端末ＵＥが認証されると、交換機ｎｅｗＳＧＳＮにおいて、ＳＰＩＤの導出処理が実行される（ステップＳ２０１０）。具体的に、交換機ｎｅｗＳＧＳＮは、端末仕様情報取得部２４において、認証処理時に移動端末ＵＥから取得したＩＭＥＩを利用して、加入者情報サーバＨＳＳからＩＭＥＩで特定される移動端末ＵＥの端末仕様情報を取得する。そして、優先周波数判別情報設定部２５において、取得した端末仕様情報に基づき、移動端末ＵＥがＣＳＦＢ機能を有しているか否かを判定する。そして、ＣＳＦＢ機能を有していると判定すると、ＳＰＩＤ管理部からＳＰＩＤの値として「１」を取得する。一方、ＣＳＦＢ機能を有していないと判定すると、ＳＰＩＤ管理部からＳＰＩＤの値として「２」を取得する。
【０１２１】
このようにして、ＳＰＩＤが導出されると、交換機ｎｅｗＳＧＳＮは、次に、加入者プロファイル管理部２２で管理されている加入者プロファイルに含まれる在圏ポリシー情報に基づき、ＳＰＩＤ変換処理を実行する（ステップＳ２０１２）。
なお、ＳＰＩＤ変換処理は、上記第１の動作例におけるステップＳ１００８の処理において、交換機ｎｅｗＳＧＳＮの優先周波数判別情報設定部２５が処理を実行する点と、移動端末ＵＥが在圏するＬＡＣと、加入者プロファイルに含まれるＨｏｍｅＬＡＣとを比較する点とが異なるのみでそれ以外の処理は同様となる。従って、説明を省略する。
【０１２２】
図１３に戻って、交換機ｎｅｗＳＧＳＮは、ＳＰＩＤ変換処理が完了すると、送信部２７において、ＲＡＮＡＰプロトコルの制御信号である「Ｃｏｍｍｏｎ  ＩＤ」信号のＳＰＩＤ用のデータフィールドに変換処理後のＳＰＩＤの値を設定する。そして、ＳＰＩＤを設定後の「Ｃｏｍｍｏｎ  ＩＤ」信号を無線制御装置ＩＰＲＮＣに送信する（ステップＳ２０１４）。
【０１２３】
その後、移動端末ＵＥ、無線制御装置ＩＰＲＮＣ、交換機ｎｅｗＳＧＳＮ、及び交換機ｏｌｄＳＧＳＮ又は交換機ｏｌｄＭＭＥとの間で、移動端末ＵＥに対する秘匿処理が実行される（ステップＳ２０１６）。
以降は、移動端末ＵＥ、無線制御装置ＩＰＲＮＣ、交換機ｎｅｗＳＧＳＮ、及び交換機ｏｌｄＳＧＳＮ又は交換機ｏｌｄＭＭＥとの間で、既存の処理が継続して実行される（ステップＳ２０１８）。
【０１２４】
その際、無線制御装置ＩＰＲＮＣは、交換機ｎｅｗＳＧＳＮから「Ｃｏｍｍｏｎ  ＩＤ」信号を受信すると、周波数判別部３１において、受信した「Ｃｏｍｍｏｎ  ＩＤ」信号に含まれるＳＰＩＤを取得する。周波数判別部３１は、取得したＳＰＩＤの値に基づき、優先周波数帯域を判別し、判別した優先周波数帯域に対応する優先周波数帯域情報及び優先度情報を、サーチ周波数管理部３２を介して取得する。周波数判別部３１は、取得した優先周波数帯域情報及び優先度情報を、送信部３３に出力する。
【０１２５】
その後、送信部３３は、ＲＲＣコネクションを解放するタイミングで、周波数判別部３１から取得した優先周波数帯域情報及び優先度情報を含む「ＲＲＣ  Ｃｏｎｎｅｃｔｉｏｎ  Ｒｅｌｅａｃｅ」信号を移動端末ＵＥに送信する（ステップＳ２０２０）。
なお、移動端末ＵＥにおけるセルサーチ処理については、上記第１の動作例と同様となるので説明を省略する。
【０１２６】
（５）作用及び効果
上記実施形態における移動通信システム１であれば、加入者情報サーバＨＳＳにおいて、カスタマーコントロール機能を利用してユーザによって設定された在圏ポリシー情報と、過去に在圏したフェムトセルをカバーするマクロセル（カバーセル）の位置登録エリアの情報とを含む加入者プロファイルを記憶保持することが可能である。ここで、加入者情報サーバＨＳＳは、カバーセルの位置登録エリアの情報は、予め設定された上限数だけ記憶する。
【０１２７】
更に、交換機ＭＭＥ及び交換機ＳＧＳＮにおいて、加入者情報サーバＨＳＳから加入者プロファイルを取得することが可能である。更に、交換機ＭＭＥ及び交換機ＳＧＳＮにおいて、移動端末ＵＥから取得したＩＭＥＩを利用して、加入者情報サーバＨＳＳからＩＭＥＩで特定される移動端末ＵＥの仕様情報を取得することが可能である。更に、交換機ＭＭＥ及び交換機ＳＧＳＮにおいて、取得した仕様情報に基づき、ＳＰＩＤを導出することが可能である。更に、交換機ＭＭＥ又は交換機ＳＧＳＮにおいて、導出したＳＰＩＤと、加入者情報サーバＨＳＳから取得した、在圏ポリシー情報と、カバーセルの位置登録エリアの情報とに基づき、導出したＳＰＩＤの変換処理を実行することが可能である。
【０１２８】
具体的に、ＳＰＩＤの変換処理は、在圏ポリシー情報としてＡモードが設定されている場合は、導出したＳＰＩＤの値を変換しない。また、在圏ポリシー情報としてＢモードが設定されている場合は、導出したＳＰＩＤの値を、ＬＴＥフェムトセルを最優先してサーチさせる数値へと変換する。また、在圏ポリシー情報としてＣモードが設定されている場合は、移動端末ＵＥが現在在圏しているマクロセルの位置登録エリアの情報と、予め記憶された過去に在圏したフェムトセルをカバーするマクロセルの位置登録エリアの情報とを比較する。そして、両者が一致するものがあった場合にのみ導出したＳＰＩＤの値を、ＬＴＥフェムトセルを最優先してサーチさせる数値へと変換する。
【０１２９】
更に、交換機ＭＭＥは、変換処理後のＳＰＩＤの値を、無線基地局ｅＮＢとの間の標準の通信プロトコルであるＳ１−ＡＰの標準の制御信号の標準上のＳＰＩＤ用のフィールドに設定し、設定後の制御信号を無線基地局ｅＮＢに送信することが可能である。具体的に、「Ｉｎｉｔｉａｌ  Ｃｏｎｔｅｘｔ  Ｓｅｔｕｐ  Ｒｅｑｕｅｓｔ」信号のＳＰＩＤ用のフィールドに変換処理後のＳＰＩＤの値を設定し、設定後の信号を無線基地局ｅＮＢに送信することが可能である。
【０１３０】
一方、交換機ＳＧＳＮは、変換処理後のＳＰＩＤの値を、無線制御装置ＩＰＲＮＣとの間の標準の通信プロトコルであるＲＡＮＡＰプロトコルの標準の制御信号の標準上のＳＰＩＤ用のフィールドに設定し、設定後の制御信号を無線制御装置ＩＰＲＮＣに送信することが可能である。具体的に、「Ｃｏｍｍｏｎ  ＩＤ」信号のＳＰＩＤ用のフィールドに変換処理後のＳＰＩＤの値を設定し、設定後の信号を無線制御装置ＩＰＲＮＣに送信することが可能である。
【０１３１】
更に、無線基地局ｅＮＢ及び無線制御装置ＩＰＲＮＣは、変換処理後のＳＰＩＤの値を含む制御信号を受信すると、受信信号に含まれるＳＰＩＤに基づき、ＳＰＩＤの値に応じて優先周波数帯域情報を含むサーチ周波数指定信号を移動端末ＵＥに送信することが可能である。
無線基地局ｅＮＢ及び無線制御装置ＩＰＲＮＣは、サーチ周波数指定信号を、移動端末ＵＥがＩｄｌｅ状態に遷移するタイミングで移動端末ＵＥに送信することが可能である。
【０１３２】
以上より、交換機において、在圏ポリシー情報に対応するＳＰＩＤを含む制御信号を、標準プロトコルの標準信号の標準上のＳＰＩＤ専用のフィールドに設定して無線制御装置に送信することが可能である。これにより、比較的汎用性の高い移動通信システムを構築することができるという効果が得られる。
また、Ｂモードを設定することで、在圏履歴に関係なくフェムトセルを優先サーチすることができるので、移動端末ＵＥがフェムトセルへと在圏する頻度を高くすることができる。これにより、トラヒックオフロードの効果を向上することができるという効果が得られる。
【０１３３】
また、Ｃモードを設定することで、記憶されている過去に在圏したフェムトセルをカバーするマクロセルの位置登録エリアと一致するエリアのマクロセルに在圏した場合にフェムトセルを優先サーチすることが可能となる。これにより、Ｂモードの場合と比較して、移動端末ＵＥの消費電力を抑えつつ、従来よりもフェムトセルへと在圏する頻度を高くすることができる。従って、電池の消耗を抑えつつ、トラヒックオフロードの効果を向上することができるという効果が得られる。
また、ＳＰＩＤに対応するサーチ周波数指定信号を、移動端末ＵＥがＩｄｌｅ状態へと遷移するタイミングで送信することができるので、パケット通信が強制的に切断されてしまうといった不具合が生じるのを防ぐことができるという効果が得られる。
【０１３４】
（６）変形例
（６−１）上記実施形態において、Ｂモード及びＣモードに設定したときに、在圏したフェムトセルをカバーするマクロセルの位置登録エリアの情報を加入者情報サーバＨＳＳに予め設定された数だけ記憶する構成としたが、この構成に限らない。
例えば、Ｃモードに設定したときだけカバーセルの位置登録エリアの情報を加入者情報サーバＨＳＳに記憶する構成としてもよい。なお、この場合は、「ＧＭＭ  ｉｎｆｏｒｍａｔｉｏｎ」信号等によって、移動端末ＵＥ側でフェムトセルに在圏していることを示す情報を表示することが望ましい。この構成であれば、ユーザは、Ｂモードで所望のフェムトセルに在圏した後に、Ｃモードに変更することで、所望のフェムトセルのカバーエリアの情報を加入者情報サーバＨＳＳに記憶することができる。つまり、所望のフェムトセルに対してだけ優先サーチが発動するようにすることが可能となる。
【０１３５】
（６−２）上記実施形態において、ＬＴＥ方式の通信網において、「Ｉｎｉｔｉａｌ  Ｃｏｎｔｅｘｔ  Ｓｅｔｕｐ  Ｒｅｑｕｅｓｔ」信号を用いて、変換処理の施されたＳＰＩＤを無線基地局ｅＮＢに送信する構成としたが、この構成に限らない。ＳＰＩＤ専用の標準フィールドを有する他の制御信号を用いて、変換処理の施されたＳＰＩＤを無線基地局ｅＮＢに送信する構成としてもよい。
【０１３６】
また、上記実施形態は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記実施形態に限定されるものではなく、本発明の目的を達成できる範囲での変形、改良、均等物等は本発明に含まれるものである。
【０１３７】
（７）本発明との対応関係
以上説明した実施形態において、加入者プロファイル取得部２１が、在圏ポリシー情報取得部に対応し、優先周波数判別情報設定部２５が、判別情報設定部に対応し、送信部２７が、優先周波数判別信号送信部に対応する。
また、上記実施形態において、交換機ＭＭＥ及び交換機ＳＧＳＮを介したカバーセルの位置登録エリア情報の記憶処理が、第１大セル識別情報登録部に対応し、在圏マクロセル情報取得部２３が、第１大セル識別情報取得部に対応し、受信部２０が、制御信号受信部に対応する。
また、上記実施形態において、受信部３０が、優先周波数判別信号受信部に対応し、優先周波数判別部３１が、周波数帯域判別部に対応し、送信部３３が、サーチ周波数指定信号送信部に対応する。
【符号の説明】
【０１３８】
１                移動通信システム
ＨＳＳ            加入者情報サーバ
ＭＭＥ，ＳＧＳＮ  交換機
ＩＰＲＮＣ        無線制御装置
ｅＮＢ            無線基地局
ＨｅＮＢ          フェムト無線基地局
ＵＥ              移動端末
２０，３０，４０  受信部
２１              加入者プロファイル取得部
２３              在圏マクロセル情報取得部
２４              端末仕様情報取得部
２５              優先周波数判別情報設定部
２７，３３，４５  送信部
３１              優先周波数判別部
４１              セルサーチ部
４３              特番発信部
４４              在圏ポリシー設定部
【要約】
【課題】フェムトセルの周波数情報を標準信号の標準フィールドを用いて移動端末に提供するのに好適な交換機、交換機制御プログラム及び交換機制御方法を提供する。
【解決手段】交換機ＭＭＥ及びＳＧＳＮは、ＬＴＥフェムトセルに優先的に在圏するか否かを設定する情報である在圏ポリシー情報と移動端末ＵＥの端末仕様情報と過去に在圏したフェムトセルをカバーするマクロセルの位置登録エリア情報とを加入者情報サーバＨＳＳから取得し、端末仕様情報に基づきＳＰＩＤを導出し、在圏ポリシー情報及び位置登録エリア情報に基づき、導出したＳＰＩＤを、在圏ポリシー情報がＢモードの場合、ＬＴＥフェムトセルを優先的にサーチする値に変換し、Ｃモードの場合、移動端末ＵＥの現在在圏している位置登録エリアと取得した位置登録エリアとが一致している場合に、ＬＴＥフェムトセルを優先的にサーチする値に変換する。
【選択図】図１２【図１】
0005400208.tif 000002
【図２】
0005400208.tif 000003
【図３】
0005400208.tif 000004
【図４】
0005400208.tif 000005
【図５】
0005400208.tif 000006
【図６】
0005400208.tif 000007
【図７】
0005400208.tif 000008
【図８】
0005400208.tif 000009
【図９】
0005400208.tif 000010
【図１０】
0005400208.tif 000011
【図１１】
0005400208.tif 000012
【図１２】
0005400208.tif 000013
【図１３】
0005400208.tif 000014
【図１４】
0005400208.tif 000015
【図１５】
0005400208.tif 000016
【図１６】
0005400208.tif 000017
【図１７】
0005400208.tif 000018